(57)【要約】【課題】様々な要求条件に柔軟に対応可能な無線アクセスネットワークを実現する、基地局装置、端末装置および通信方法を提供すること。【解決手段】本発明の基地局装置は、無線パラメータが設定可能なフレームフォーマットに基づいて送信信号を生成し、前記フレームフォーマットに設定された無線パラメータを示す情報を端末装置に通知する送信部を備える。本発明の端末装置は、フレームフォーマットに設定された無線パラメータを示す情報を取得し、前記無線パラメータに基づいて、前記フレームフォーマットに基づいて生成された信号を復調する受信部を備える。【選択図】図７
2019054308.tif 000002
【特許請求の範囲】
【請求項１】
端末装置と通信を行なう基地局装置であって、
無線パラメータが設定可能なフレームフォーマットに基づいて送信信号を生成し、前記フレームフォーマットに設定された無線パラメータを示す情報を前記端末装置に通知する送信部を備える基地局装置。
【請求項２】
前記フレームフォーマットは、共通参照信号リソースと、データ信号リソースを含み、
前記共通参照信号リソースと、前記データ信号リソースは、時間方向にシーケンシャルに配置される、請求項１に記載の基地局装置。
【請求項３】
前記送信部は、前記フレームフォーマットに含まれるリソースの少なくとも１つを、時間方向もしくは周波数方向にアグリゲーションするフレームフォーマットに基づいて、前記送信信号を生成する、請求項２に記載の基地局装置。
【請求項４】
前記送信部は、前記アグリゲーションを含むフレームフォーマットに基づいて生成した送信信号に、無送信区間を与える、請求項３に記載の基地局装置。
【請求項５】
前記送信部は、前記フレームフォーマットとはリソース配置が異なる第１のフレームフォーマットと、前記フレームフォーマットである第２のフレームフォーマットを、選択的に、もしくは同時に用いて前記送信信号を生成する、請求項２から請求項４の何れか１項に記載の基地局装置。
【請求項６】
前記無線パラメータは、サブキャリア間隔を含む請求項１に記載の基地局装置。
【請求項７】
前記アグリゲーションに関する設定を前記端末装置に送信する請求項３に記載の基地局装置。
【請求項８】
基地局装置と通信を行なう端末装置であって、
フレームフォーマットに設定された無線パラメータを示す情報を取得し、
前記無線パラメータに基づいて、前記フレームフォーマットに基づいて生成された信号を復調する受信部を備える端末装置。
【請求項９】
前記受信部が復調する信号は、前記フレームフォーマットとはリソース配置が異なる第１のフレームフォーマットと、前記フレームフォーマットである第２のフレームフォーマットが、選択的に、もしくは同時に用いられて生成されている、請求項８に記載の端末装置。
【請求項１０】
前記受信部は、前記信号が、前記第１のフレームフォーマットに基づいて生成されているのか、前記第２のフレームフォーマットに基づいて生成されているのか、をブラインド検出する、請求項９に記載の端末装置。
【請求項１１】
前記ブラインド検出の方法は、前記受信部が行なう同期処理方法、もしくは前記受信部が行なう報知信号の取得方法である、請求項１０に記載の端末装置。
【請求項１２】
端末装置と通信を行なう基地局装置の通信方法であって、
無線パラメータが設定可能なフレームフォーマットに基づいて送信信号を生成するステップと、
前記フレームフォーマットに設定された無線パラメータを示す情報を前記端末装置に通知するステップと、を備える通信方法。
【請求項１３】
基地局装置と通信を行なう端末装置の通信方法であって、
フレームフォーマットに設定された無線パラメータを示す情報を取得するステップと、
前記無線パラメータに基づいて、前記フレームフォーマットに基づいて生成された信号を復調するステップと、を備える通信方法。
【発明の詳細な説明】
【技術分野】
【０００１】
本発明は、基地局装置、端末装置および通信方法に関する。
【背景技術】
【０００２】
３ＧＰＰ（Third Generation Partnership Project）によるＬＴＥ（Long Term Evolution）、ＬＴＥ−Ａ（LTE-Advanced）のような通信システムでは、基地局装置（基地局、
送信局、送信点、下りリンク送信装置、上りリンク受信装置、送信アンテナ群、送信アンテナポート群、コンポーネントキャリア、ｅＮｏｄｅＢ、アクセスポイント、ＡＰ）或いは基地局装置に準じる送信局がカバーするエリアをセル（Cell）状に複数配置するセルラ構成とすることにより、通信エリアを拡大することができる。基地局装置には、端末装置（受信局、受信点、下りリンク受信装置、上りリンク送信装置、受信アンテナ群、受信アンテナポート群、ＵＥ、ステーション、ＳＴＡ）が接続する。このセルラ構成において、隣接するセルまたはセクタ間で同一周波数を利用することで、周波数利用効率を向上させることができる。
【０００３】
ＬＴＥ／ＬＴＥ−Ａでは、周波数分割複信、時間分割複信、およびライセンス補助アクセスに対し、それぞれフレームフォーマットが定義されている。例えば、周波数分割複信を用いるＬＴＥ／ＬＴＥ−Ａの基地局装置および端末装置は、通信帯域幅などに依らず、常に共通のフレームフォーマットを用いて通信を行なうことができる。
【０００４】
また、２０２０年頃の商業サービス開始を目指し、第５世代移動無線通信システム（5Gシステム）に関する研究・開発活動が盛んに行なわれている。最近、国際標準化機関である国際電気通信連合  無線通信部門（International Telecommunication Union Radio communications Sector：ＩＴＵ−Ｒ）より、５Ｇシステムの標準方式（International mobile telecommunication - 2020 and beyond：IMT-2020）に関するビジョン勧告が報告さ
れた（非特許文献１参照）。
【０００５】
ビジョン勧告では、５Ｇシステムが通信サービスを提供する様々なユースケースを３つの大きなユースシナリオ（Enhanced mobile broadband(EMBB)、Enhanced Massive machine type communication(eMTC)、Ultra-reliable and low latency communication(URLLC)
）に分類している。また、ビジョン勧告は、５Ｇシステムの要求条件（Capabilities）として、８つの指標（Peak data rate, User experienced data rate, Spectrum efficiency, Mobility, Latency, Connection density, Network energy efficiency, Area traffic capacity）を提示している。しかし、ビジョン勧告は、５Ｇシステムは、該要求条件を全て同時に満たす必要ななく、ユースシナリオ毎に要求条件を満たせば良いことも指摘している。当然、ユースケース／ユースシナリオ毎に要求条件は異なるため、５Ｇシステムが備える無線アクセスネットワークが提供する無線性能は、時々刻々とダイナミックに変化していくことが求められる。
【先行技術文献】
【非特許文献】
【０００６】
【非特許文献１】“IMT Vision - Framework and overall objectives of the future development of IMT for 2020 and beyond,” Recommendation ITU-R M.2083-0, Sept. 2015.
【発明の概要】
【発明が解決しようとする課題】
【０００７】
しかしながら、一般に無線通信システムにおいては、システムの複雑性を鑑み、無線インターフェースは共通のフレームフォーマットを用いている場合が多い。従来のＬＴＥ／ＬＴＥ−Ａにおいても、複信方式毎に１つの共通のフレームフォーマットが定義されている。しかし、共通のフレームフォーマットでは、無線アクセスネットワークが、時々刻々と変化する要求条件に対応することには限界が生ずる。しかし、フレームフォーマットの種類をいたずらに増加させることは、システムの複雑性およびオーバーヘッドを増加させ、無線アクセスネットワークの能力を低下させてしまう。
【０００８】
本発明はこのような事情を鑑みてなされたものであり、その目的は、様々な要求条件に柔軟に対応可能な無線アクセスネットワークを実現する、基地局装置、端末装置および通信方法を提供することにある。
【課題を解決するための手段】
【０００９】
上述した課題を解決するために本発明に係る基地局装置、端末装置および通信方法の構成は、次の通りである。
【００１０】
（１）すなわち、本発明の基地局装置は、端末装置と通信を行なう基地局装置であって、無線パラメータが設定可能なフレームフォーマットに基づいて送信信号を生成し、前記フレームフォーマットに設定された無線パラメータを示す情報を前記端末装置に通知する送信部を備える。
【００１１】
（２）また、本発明の基地局装置は、上記（１）に記載の基地局装置であって、前記フレームフォーマットは、共通参照信号リソースと、データ信号リソースを含み、前記共通参照信号リソースと、前記データ信号リソースは、時間方向にシーケンシャルに配置される。
【００１２】
（３）また、本発明の基地局装置は、上記（２）に記載の基地局装置であって、前記送信部は、前記フレームフォーマットに含まれるリソースの少なくとも１つを、時間方向もしくは周波数方向にアグリゲーションするフレームフォーマットに基づいて、前記送信信号を生成する。
【００１３】
（４）また、本発明の基地局装置は、上記（３）に記載の基地局装置であって、前記送信部は、前記アグリゲーションを含むフレームフォーマットに基づいて生成した送信信号に、無送信区間を与える。
【００１４】
（５）また、本発明の基地局装置は、上記（２）から（４）の何れかに記載の基地局装置であって、前記送信部は、前記フレームフォーマットとはリソース配置が異なる第１のフレームフォーマットと、前記フレームフォーマットである第２のフレームフォーマットを、選択的に、もしくは同時に用いて前記送信信号を生成する。
【００１５】
（６）また、本発明の基地局装置は、上記（１）に記載の基地局装置であって、前記無線パラメータは、サブキャリア間隔を含む。
【００１６】
（７）また、本発明の基地局装置は、上記（３）に記載の基地局装置であって、前記アグリゲーションに関する設定を前記端末装置に送信する。
【００１７】
（８）また、本発明の端末装置は、基地局装置と通信を行なう端末装置であって、フレームフォーマットに設定された無線パラメータを示す情報を取得し、前記無線パラメータに基づいて、前記フレームフォーマットに基づいて生成された信号を復調する受信部を備える。
【００１８】
（９）また、本発明の端末装置は、上記（８）に記載の端末装置であって、前記受信部が復調する信号は、前記フレームフォーマットとはリソース配置が異なる第１のフレームフォーマットと、前記フレームフォーマットである第２のフレームフォーマットが、選択的に、もしくは同時に用いられて生成されている。
【００１９】
（１０）また、本発明の端末装置は、上記（９）に記載の端末装置であって、前記受信部は、前記信号が、前記第１のフレームフォーマットに基づいて生成されているのか、前記第２のフレームフォーマットに基づいて生成されているのか、をブラインド検出する。
【００２０】
（１１）また、本発明の端末装置は、上記（１０）に記載の端末装置であって、前記ブラインド検出方法は、前記受信部が行なう同期処理方法、もしくは前記受信部が行なう報知信号の取得方法である。
【００２１】
（１２）また、本発明の通信方法は、端末装置と通信を行なう基地局装置の通信方法であって、無線パラメータが設定可能なフレームフォーマットに基づいて送信信号を生成するステップと、前記フレームフォーマットに設定された無線パラメータを示す情報を前記端末装置に通知するステップと、を備える。
【００２２】
（１３）また、本発明の通信方法は、基地局装置と通信を行なう端末装置の通信方法であって、フレームフォーマットに設定された無線パラメータを示す情報を取得するステップと、前記無線パラメータに基づいて、前記フレームフォーマットに基づいて生成された信号を復調するステップと、を備える。
【発明の効果】
【００２３】
本発明によれば、様々な要求条件に柔軟に対応可能な無線アクセスネットワークが提供されるから、要求条件が異なる様々なユースケースおよびユースシナリオに対し、無線通信サービスを効率的に提供することが可能となる。
【図面の簡単な説明】
【００２４】
【図１】本発明に係る通信システムの例を示す図である。
【図２】本発明に係る基地局装置の１構成例を示すブロック図である。
【図３】本発明に係る端末装置の１構成例を示すブロック図である。
【図４】本発明に係るフレームフォーマットの１例を示す図である。
【図５】本発明に係るフレームフォーマットの１例を示す図である。
【図６】本発明に係るフレームフォーマットの１例を示す図である。
【図７】本発明に係るフレームフォーマットの１例を示す図である。
【図８】本発明に係るフレームフォーマットの１例を示す図である。
【図９】本発明に係るフレームフォーマットの１例を示す図である。
【発明を実施するための形態】
【００２５】
本実施形態における通信システムは、基地局装置（送信装置、セル、送信点、送信アンテナ群、送信アンテナポート群、コンポーネントキャリア、ｅＮｏｄｅＢ、アクセスポイント、ＡＰ、無線ルータ、中継、通信装置）および端末装置（端末、移動端末、受信点、受信端末、受信装置、受信アンテナ群、受信アンテナポート群、ＵＥ、ステーション、ＳＴＡ）を備える。
【００２６】
本実施形態において、“Ｘ／Ｙ”は、“ＸまたはＹ”の意味を含む。本実施形態において、“Ｘ／Ｙ”は、“ＸおよびＹ”の意味を含む。本実施形態において、“Ｘ／Ｙ”は、“Ｘおよび／またはＹ”の意味を含む。
【００２７】
［１．第１の実施形態］
図１は、本実施形態に係る通信システムの例を示す図である。図１に示すように、本実施形態における通信システムは、基地局装置１Ａ、端末装置２Ａ、２Ｂを備える。また、カバレッジ１−１は、基地局装置１Ａが端末装置と接続可能な範囲（通信エリア）である。なお、本実施形態に係る通信システムは、複数の基地局装置や、３以上の端末装置を含むことが可能である。
【００２８】
図１において、端末装置２から基地局装置１Ａへの上りリンクの無線通信では、以下の上りリンク物理チャネルが用いられる。上りリンク物理チャネルは、上位層から出力された情報を送信するために使用される。
・ＰＵＣＣＨ（Physical Uplink Control Channel）
・ＰＵＳＣＨ（Physical Uplink Shared Channel）
・ＰＲＡＣＨ（Physical Random Access Channel）
【００２９】
ＰＵＣＣＨは、上りリンク制御情報（Uplink Control Information: UCI）を送信する
ために用いられる。ここで、上りリンク制御情報は、下りリンクデータ（下りリンクトランスポートブロック、Downlink-Shared Channel: DL-SCH）に対するＡＣＫ（a positive acknowledgement）またはＮＡＣＫ（a negative acknowledgement）（ＡＣＫ／ＮＡＣＫ
）を含む。下りリンクデータに対するＡＣＫ／ＮＡＣＫを、ＨＡＲＱ−ＡＣＫ、ＨＡＲＱフィードバックとも称する。
【００３０】
また、上りリンク制御情報は、下りリンクに対するチャネル状態情報（Channel State Information: CSI）を含む。また、上りリンク制御情報は、上りリンク共用チャネル（Uplink-Shared Channel: UL-SCH）のリソースを要求するために用いられるスケジューリン
グ要求（Scheduling Request: SR）を含む。前記チャネル状態情報は、好適な空間多重数を指定するランク指標ＲＩ、好適なプレコーダを指定するプレコーディング行列指標ＰＭＩ、好適な伝送レートを指定するチャネル品質指標ＣＱＩなどが該当する。
【００３１】
前記チャネル品質指標ＣＱＩは（以下、ＣＱＩ値）、所定の帯域（詳細は後述）における好適な変調方式（例えば、ＱＰＳＫ、１６ＱＡＭ、６４ＱＡＭ、２５６ＱＡＭなど）、符号化率（code rate）とすることができる。ＣＱＩ値は、前記変更方式や符号化率によ
り定められたインデックス（CQI Index）とすることができる。前記ＣＱＩ値は、予め当
該システムで定めたものをすることができる。
【００３２】
なお、前記ランク指標、前記プレコーディング品質指標は、予めシステムで定めたものとすることができる。前記ランク指標や前記プレコーディング行列指標は、空間多重数やプレコーディング行列情報により定められたインデックスとすることができる。なお、前記ランク指標、前記プレコーディング行列指標、前記チャネル品質指標ＣＱＩの値をＣＳＩ値と総称する。
【００３３】
ＰＵＳＣＨは、上りリンクデータ（上りリンクトランスポートブロック、UL-SCH）を送信するために用いられる。また、ＰＵＳＣＨは、上りリンクデータと共に、ＡＣＫ／ＮＡＣＫおよび／またはチャネル状態情報を送信するために用いられても良い。また、ＰＵＳＣＨは、上りリンク制御情報のみを送信するために用いられても良い。
【００３４】
また、ＰＵＳＣＨは、ＲＲＣメッセージを送信するために用いられる。ＲＲＣメッセージは、無線リソース制御（Radio Resource Control: RRC）層において処理される情報／
信号である。また、ＰＵＳＣＨは、ＭＡＣ  ＣＥ（Control Element）を送信するために
用いられる。ここで、ＭＡＣ  ＣＥは、媒体アクセス制御（MAC: Medium Access Control
）層において処理（送信）される情報／信号である。
【００３５】
例えば、パワーヘッドルームは、ＭＡＣ  ＣＥに含まれ、ＰＵＳＣＨを経由して報告されても良い。すなわち、ＭＡＣ  ＣＥのフィールドが、パワーヘッドルームのレベルを示すために用いられても良い。
【００３６】
ＰＲＡＣＨは、ランダムアクセスプリアンブルを送信するために用いられる。
【００３７】
また、上りリンクの無線通信では、上りリンク物理信号として上りリンク参照信号（Uplink Reference Signal: UL RS）が用いられる。上りリンク物理信号は、上位層から出力された情報を送信するためには使用されないが、物理層によって使用される。ここで、上りリンク参照信号には、ＤＭＲＳ（Demodulation Reference Signal）、ＳＲＳ（Sounding Reference Signal）が含まれる。
【００３８】
ＤＭＲＳは、ＰＵＳＣＨまたはＰＵＣＣＨの送信に関連する。例えば、基地局装置１Ａは、ＰＵＳＣＨまたはＰＵＣＣＨの伝搬路補正を行なうためにＤＭＲＳを使用する。ＳＲＳは、ＰＵＳＣＨまたはＰＵＣＣＨの送信に関連しない。例えば、基地局装置１Ａは、上りリンクのチャネル状態を測定するためにＳＲＳを使用する。基地局装置１Ａは、ＳＲＳの設定情報を、上位レイヤのシグナリングもしくは後述するＤＣＩフォーマットで通知することができる。基地局装置１Ａは、ＤＭＲＳの設定情報を、上位レイヤのシグナリングもしくは後述するＤＣＩフォーマットで通知することができる。
【００３９】
ＳＲＳは、複数のトリガのされ方が定義される。例えば、上位レイヤのシグナリングによりトリガされるトリガータイプ０と、後述する下りリンク制御情報によりトリガされるトリガータイプ１である。
【００４０】
ＳＲＳは、セル固有のＳＲＳ（Cell specific SRS, Common SRS）とＵＥ固有のＳＲＳ
（UE-specific SRS, Dedicated SRS）を含む。ＵＥ−ｓｐｅｃｉｆｉｃ  ＳＲＳは周期的に送信されるＳＲＳ（UE-specific periodic SRS）と、トリガに基づいて非周期的に送信されるＳＲＳ（UE-specific aperiodic SRS）を含む。
【００４１】
Ｃｏｍｍｏｎ  ＳＲＳは、上位レイヤのシグナリング、もしくは後述する下りリンク制御情報により、送信帯域幅（srs-BandwidthConfig）と、送信されるサブフレーム（srs-SubframeConfig）が指定される。また、Ｃｏｍｍｍｏｎ  ＳＲＳは所定のパラメータ（例
えばackNackSRS-SimultaneousTransmission）がＦａｌｓｅであった場合、ＨＡＲＱ−Ａ
ＣＫとＳＲの少なくとも１つを含むＰＵＣＣＨが含まれるサブフレームでは送信されない。一方で、Ｃｏｍｍｍｏｎ  ＳＲＳは所定のパラメータ（例えばackNackSRS-SimultaneousTransmission）がＴｒｕｅであった場合、ＨＡＲＱ−ＡＣＫとＳＲの少なくとも１つを
含むＰＵＣＣＨが含まれるサブフレームで送信されることができる。
【００４２】
Ｄｅｄｉｃａｔｅｄ  ＳＲＳは、上位レイヤのシグナリング、もしくは後述する下りリンク制御情報により、送信帯域幅と、ホッピング帯域幅(srs-HoppingBandwidth)と、周波数割当開始位置(freqDomainPosition)と、送信期間（Duration）（Single transmission
もしくはindefinite transmission）と、送信周期（srs-ConfigIndex）と、ＳＲＳの信号系列に与えられる巡回シフト量（cyclicShift）と、櫛の歯に形成されるＳＲＳの位置（transmissionComb）が、それぞれ設定される。
【００４３】
ＳＲＳは、複数のアンテナポートより送信されることができる。送信アンテナポート数は上位レイヤのシグナリングにより設定される。複数のアンテナポートにおけるＳＲＳ送信が設定されたＵＥは、サービングセルに対して、同じサブフレームの１つのＳＣ−ＦＤ
ＭＡシンボルにより、設定された送信アンテナポートの全てからＳＲＳを送信しなければならない。この場合、設定された送信アンテナポートから送信されるＳＲＳは、全て同じ送信帯域幅と、周波数割当開始位置が設定される。
【００４４】
複数のＴｒａｎｓｍｉｓｓｉｏｎ  ａｄｖａｎｃｅ  ｇｒｏｕｐs（ＴＡＧs）が設定されないＵＥは、ＳＲＳとＰＵＳＣＨが同じシンボル内でオーバーラップしない限り、ＳＲＳを送信してはならない。
【００４５】
ＴＤＤのサービングセルに対して、サービングセルのＵｐＰＴＳに１つのＳＣ−ＦＤＭＡシンボルが含まれている場合、ＵＥは該ＳＣ−ＦＤＭＡシンボルをＳＲＳの送信に用いることができる。サービングセルのＵｐＰＴＳに２つのＳＣ−ＦＤＭＡシンボルが含まれている場合、ＵＥは該２つのＳＣ−ＦＤＭＡシンボルの両方をＳＲＳの送信に用いることができる。また、トリガータイプ０のＳＲＳは、同じＵＥに対して、該２つのＳＣ−ＦＤＭＡシンボルの両方をＳＲＳに設定されることができる。
【００４６】
ＨＡＲＱ−ＡＣＫとＳＲＳを１つのサブフレームで送信することをサポートすることを設定されたＵＥは、プライマリセルのセル固有ＳＲＳ送信が設定されたサブフレーム（cell specific SRS subframes）において、を含むＰＵＣＣＨが含まれるサブフレームで送
信
【００４７】
図１において、基地局装置１Ａから端末装置２Ａへの下りリンクの無線通信では、以下の下りリンク物理チャネルが用いられる。下りリンク物理チャネルは、上位層から出力された情報を送信するために使用される。
・ＰＢＣＨ（Physical Broadcast Channel；報知チャネル）
・ＰＣＦＩＣＨ（Physical Control Format Indicator Channel；制御フォーマット指示
チャネル）
・ＰＨＩＣＨ（Physical Hybrid automatic repeat request Indicator Channel；HARQ指示チャネル）
・ＰＤＣＣＨ（Physical Downlink Control Channel；下りリンク制御チャネル）
・ＥＰＤＣＣＨ（Enhanced Physical Downlink Control Channel；拡張下りリンク制御チャネル）
・ＰＤＳＣＨ（Physical Downlink Shared Channel；下りリンク共有チャネル）
【００４８】
ＰＢＣＨは、端末装置で共通に用いられるマスターインフォメーションブロック（Master Information Block: MIB, Broadcast Channel: BCH）を報知するために用いられる。
ＰＣＦＩＣＨは、ＰＤＣＣＨの送信に用いられる領域（例えば、ＯＦＤＭシンボルの数）を指示する情報を送信するために用いられる。
【００４９】
ＰＨＩＣＨは、基地局装置１Ａが受信した上りリンクデータ（トランスポートブロック、コードワード）に対するＡＣＫ／ＮＡＣＫを送信するために用いられる。すなわち、ＰＨＩＣＨは、上りリンクデータに対するＡＣＫ／ＮＡＣＫを示すＨＡＲＱインディケータ（ＨＡＲＱフィードバック）を送信するために用いられる。また、ＡＣＫ／ＮＡＣＫは、ＨＡＲＱ−ＡＣＫとも呼称する。端末装置２Ａは、受信したＡＣＫ／ＮＡＣＫを上位レイヤに通知する。ＡＣＫ／ＮＡＣＫは、正しく受信されたことを示すＡＣＫ、正しく受信しなかったことを示すＮＡＣＫ、対応するデータがなかったことを示すＤＴＸである。また、上りリンクデータに対するＰＨＩＣＨが存在しない場合、端末装置２ＡはＡＣＫを上位レイヤに通知する。
【００５０】
ＰＤＣＣＨおよびＥＰＤＣＣＨは、下りリンク制御情報（Downlink Control Information: DCI）を送信するために用いられる。ここで、下りリンク制御情報の送信に対して、
複数のＤＣＩフォーマットが定義される。すなわち、下りリンク制御情報に対するフィールドがＤＣＩフォーマットに定義され、情報ビットへマップされる。
【００５１】
例えば、下りリンクに対するＤＣＩフォーマットとして、１つのセルにおける１つのＰＤＳＣＨ（１つの下りリンクトランスポートブロックの送信）のスケジューリングに使用されるＤＣＩフォーマット１Ａが定義される。
【００５２】
例えば、下りリンクに対するＤＣＩフォーマットには、ＰＤＳＣＨのリソース割り当てに関する情報、ＰＤＳＣＨに対するＭＣＳ（Modulation and Coding Scheme）に関する情報、ＰＵＣＣＨに対するＴＰＣコマンドなどの下りリンク制御情報が含まれる。ここで、下りリンクに対するＤＣＩフォーマットを、下りリンクグラント（または、下りリンクアサインメント）とも称する。
【００５３】
また、例えば、上りリンクに対するＤＣＩフォーマットとして、１つのセルにおける１つのＰＵＳＣＨ（１つの上りリンクトランスポートブロックの送信）のスケジューリングに使用されるＤＣＩフォーマット０が定義される。
【００５４】
例えば、上りリンクに対するＤＣＩフォーマットには、ＰＵＳＣＨのリソース割り当てに関する情報、ＰＵＳＣＨに対するＭＣＳに関する情報、ＰＵＳＣＨに対するＴＰＣコマンドなど上りリンク制御情報が含まれる。上りリンクに対するＤＣＩフォーマットを、上りリンクグラント（または、上りリンクアサインメント）とも称する。
【００５５】
また、上りリンクに対するＤＣＩフォーマットは、下りリンクのチャネル状態情報（ＣＳＩ；Channel State Information。受信品質情報とも称する。）を要求（CSI request）するために用いることができる。チャネル状態情報は、好適な空間多重数を指定するランク指標ＲＩ（Rank Indicator）、好適なプリコーダを指定するプリコーディング行列指標ＰＭＩ（Precoding Matrix Indicator）、好適な伝送レートを指定するチャネル品質指標ＣＱＩ（Channel Quality Indicator）、プリコーディングタイプ指標ＰＴＩ（Precoding
type Indicator）などが該当する。
【００５６】
また、上りリンクに対するＤＣＩフォーマットは、端末装置が基地局装置にフィードバックするチャネル状態情報報告(CSI feedback report)をマップする上りリンクリソース
を示す設定のために用いることができる。例えば、チャネル状態情報報告は、定期的にチャネル状態情報（Periodic CSI）を報告する上りリンクリソースを示す設定のために用いることができる。チャネル状態情報報告は、定期的にチャネル状態情報を報告するモード設定（CSI report mode）のために用いることができる。
【００５７】
例えば、チャネル状態情報報告は、不定期なチャネル状態情報（Aperiodic CSI）を報
告する上りリンクリソースを示す設定のために用いることができる。チャネル状態情報報告は、不定期的にチャネル状態情報を報告するモード設定（CSI report mode）のために
用いることができる。基地局装置は、前記定期的なチャネル状態情報報告又は前記不定期的なチャネル状態情報報告のいずれかを設定することができる。また、基地局装置は、前記定期的なチャネル状態情報報告及び前記不定期的なチャネル状態情報報告の両方を設定することもできる。
【００５８】
また、上りリンクに対するＤＣＩフォーマットは、端末装置が基地局装置にフィードバックするチャネル状態情報報告の種類を示す設定のために用いることができる。チャネル状態情報報告の種類は、広帯域ＣＳＩ（例えばWideband CQI）と狭帯域ＣＳＩ（例えば、Subband CQI）などがある。
【００５９】
端末装置は、下りリンクアサインメントを用いてＰＤＳＣＨのリソースがスケジュールされた場合、スケジュールされたＰＤＳＣＨで下りリンクデータを受信する。また、端末装置は、上りリンクグラントを用いてＰＵＳＣＨのリソースがスケジュールされた場合、スケジュールされたＰＵＳＣＨで上りリンクデータおよび／または上りリンク制御情報を送信する。
【００６０】
ＰＤＳＣＨは、下りリンクデータ（下りリンクトランスポートブロック、DL-SCH）を送信するために用いられる。また、ＰＤＳＣＨは、システムインフォメーションブロックタイプ１メッセージを送信するために用いられる。システムインフォメーションブロックタイプ１メッセージは、セルスペシフィック（セル固有）な情報である。
【００６１】
また、ＰＤＳＣＨは、システムインフォメーションメッセージを送信するために用いられる。システムインフォメーションメッセージは、システムインフォメーションブロックタイプ１以外のシステムインフォメーションブロックＸを含む。システムインフォメーションメッセージは、セルスペシフィック（セル固有）な情報である。
【００６２】
また、ＰＤＳＣＨは、ＲＲＣメッセージを送信するために用いられる。ここで、基地局装置から送信されるＲＲＣメッセージは、セル内における複数の端末装置に対して共通であっても良い。また、基地局装置１Ａから送信されるＲＲＣメッセージは、ある端末装置２に対して専用のメッセージ（dedicated signalingとも称する）であっても良い。すな
わち、ユーザ装置スペシフィック（ユーザ装置固有）な情報は、ある端末装置に対して専用のメッセージを使用して送信される。また、ＰＤＳＣＨは、ＭＡＣ  ＣＥを送信するために用いられる。
【００６３】
ここで、ＲＲＣメッセージおよび／またはＭＡＣ  ＣＥを、上位層の信号（higher layer signaling）とも称する。
【００６４】
また、ＰＤＳＣＨは、下りリンクのチャネル状態情報を要求するために用いることができる。また、ＰＤＳＣＨは、端末装置が基地局装置にフィードバックするチャネル状態情報報告(CSI feedback report)をマップする上りリンクリソースを送信するために用いる
ことができる。例えば、チャネル状態情報報告は、定期的にチャネル状態情報（Periodic
CSI）を報告する上りリンクリソースを示す設定のために用いることができる。チャネル状態情報報告は、定期的にチャネル状態情報を報告するモード設定（CSI report mode）
のために用いることができる。
【００６５】
下りリンクのチャネル状態情報報告の種類は広帯域ＣＳＩ（例えばWideband CSI）と狭帯域ＣＳＩ（例えば、Subband CSI）がある。広帯域ＣＳＩは、セルのシステム帯域に対
して１つのチャネル状態情報を算出する。狭帯域ＣＳＩは、システム帯域を所定の単位に区分し、その区分に対して１つのチャネル状態情報を算出する。
【００６６】
また、下りリンクの無線通信では、下りリンク物理信号として同期信号（Synchronization signal: SS）、下りリンク参照信号（Downlink Reference Signal: DL RS）が用いられる。下りリンク物理信号は、上位層から出力された情報を送信するためには使用されないが、物理層によって使用される。
【００６７】
同期信号は、端末装置が、下りリンクの周波数領域および時間領域の同期を取るために用いられる。また、下りリンク参照信号は、端末装置が、下りリンク物理チャネルの伝搬路補正を行なうために用いられる。例えば、下りリンク参照信号は、端末装置が、下りリンクのチャネル状態情報を算出するために用いられる。
【００６８】
ここで、下りリンク参照信号には、ＣＲＳ（Cell-specific Reference Signal;
セル固有参照信号）、ＵＲＳ（UE-specific Reference Signal；端末固有参照信号）、ＤＭＲＳ（Demodulation Reference Signal）、ＮＺＰ  ＣＳＩ−ＲＳ（Non-Zero Power Chanel State Information - Reference Signal）、ＺＰ  ＣＳＩ−ＲＳ（Zero Power Chanel State Information - Reference Signal）が含まれる。
【００６９】
ＣＲＳは、サブフレームの全帯域で送信され、ＰＢＣＨ／ＰＤＣＣＨ／ＰＨＩＣＨ／ＰＣＦＩＣＨ／ＰＤＳＣＨの復調を行なうために用いられる。ＰＤＳＣＨに関連するＵＲＳは、ＵＲＳが関連するＰＤＳＣＨの送信に用いられるサブフレームおよび帯域で送信され、ＵＲＳが関連するＰＤＳＣＨの復調を行なうために用いられる。
【００７０】
ＥＰＤＣＣＨに関連するＤＭＲＳは、ＤＭＲＳが関連するＥＰＤＣＣＨの送信に用いられるサブフレームおよび帯域で送信される。ＤＭＲＳは、ＤＭＲＳが関連するＥＰＤＣＣＨの復調を行なうために用いられる。
【００７１】
ＮＺＰ  ＣＳＩ−ＲＳのリソースは、基地局装置１Ａによって設定される。例えば、端末装置２Ａは、ＮＺＰ  ＣＳＩ−ＲＳを用いて信号の測定（チャネルの測定）を行なう。ＺＰ  ＣＳＩ−ＲＳのリソースは、基地局装置１Ａによって設定される。基地局装置１Ａは、ＺＰ  ＣＳＩ−ＲＳをゼロ出力で送信する。例えば、端末装置２Ａは、ＮＺＰ  ＣＳＩ−ＲＳが対応するリソースにおいて干渉の測定を行なう。
【００７２】
ＭＢＳＦＮ（Multimedia Broadcast multicast service Single Frequency Network）
ＲＳは、ＰＭＣＨの送信に用いられるサブフレームの全帯域で送信される。ＭＢＳＦＮ
ＲＳは、ＰＭＣＨの復調を行なうために用いられる。ＰＭＣＨは、ＭＢＳＦＮ  ＲＳの送信に用いられるアンテナポートで送信される。
【００７３】
ここで、下りリンク物理チャネルおよび下りリンク物理信号を総称して、下りリンク信号とも称する。また、上りリンク物理チャネルおよび上りリンク物理信号を総称して、上りリンク信号とも称する。また、下りリンク物理チャネルおよび上りリンク物理チャネルを総称して、物理チャネルとも称する。また、下りリンク物理信号および上りリンク物理信号を総称して、物理信号とも称する。
【００７４】
また、ＢＣＨ、ＵＬ−ＳＣＨおよびＤＬ−ＳＣＨは、トランスポートチャネルである。ＭＡＣ層で用いられるチャネルを、トランスポートチャネルと称する。また、ＭＡＣ層で用いられるトランスポートチャネルの単位を、トランスポートブロック（Transport Block: TB）、または、ＭＡＣ  ＰＤＵ（Protocol Data Unit）とも称する。トランスポート
ブロックは、ＭＡＣ層が物理層に渡す（deliverする）データの単位である。物理層にお
いて、トランスポートブロックはコードワードにマップされ、コードワード毎に符号化処理などが行なわれる。
【００７５】
また、キャリアアグリゲーション（CA; Carrier Aggregation）をサポートしている端
末装置に対して、基地局装置は、より広帯域伝送のため複数のコンポーネントキャリア（CC; Component Carrier）を統合して通信することができる。キャリアアグリゲーション
では、１つのプライマリセル（ＰＣｅｌｌ；Primary Cell）及び１または複数のセカンダリセル（ＳＣｅｌｌ；Secondary Cell）がサービングセルの集合として設定される。
【００７６】
また、デュアルコネクティビティ（DC; Dual Connectivity）では、サービングセルの
グループとして、マスターセルグループ（MCG; Master Cell Group）とセカンダリセルグループ（SCG; Secondary Cell Group）が設定される。ＭＣＧはＰＣｅｌｌとオプション
で１又は複数のＳＣｅｌｌから構成される。またＳＣＧはプライマリＳＣｅｌｌ（ＰＳＣ
ｅｌｌ）とオプションで１又は複数のＳＣｅｌｌから構成される。
【００７７】
図２は、本実施形態における基地局装置１Ａの構成を示す概略ブロック図である。図２に示すように、基地局装置１Ａは、上位層処理部（上位層処理ステップ）１０１、制御部（制御ステップ）１０２、送信部（送信ステップ）１０３、受信部（受信ステップ）１０４とアンテナ１０５を含んで構成される。また、上位層処理部１０１は、無線リソース制御部（無線リソース制御ステップ）１０１１、スケジューリング部（スケジューリングステップ）１０１２を含んで構成される。また、送信部１０３は、符号化部（符号化ステップ）１０３１、変調部（変調ステップ）１０３２、フレーム構成部（フレーム構成ステップ）１０３３、多重部（多重ステップ）１０３４、無線送信部（無線送信ステップ）１０３５、を含んで構成される。また、受信部１０４は、無線受信部（無線受信ステップ）１０４１、多重分離部（多重分離ステップ）１０４２、復調部（復調ステップ）１０４３、復号部（復号ステップ）１０４４を含んで構成される。
【００７８】
上位層処理部１０１は、媒体アクセス制御（Medium Access Control: MAC）層、パケットデータ統合プロトコル（Packet Data Convergence Protocol: PDCP）層、無線リンク制御（Radio Link Control: RLC）層、無線リソース制御（Radio Resource Control: RRC）層の処理を行なう。また、上位層処理部１０１は、送信部１０３および受信部１０４の制御を行なうために必要な情報を生成し、制御部１０２に出力する。
【００７９】
上位層処理部１０１は、端末装置の機能（UE capability、機能情報）等、端末装置に
関する情報を端末装置から受信する。言い換えると、端末装置は、自身の機能を基地局装置に上位層の信号で送信する。
【００８０】
なお、以下の説明において、端末装置に関する情報は、その端末装置が所定の機能をサポートするかどうかを示す情報、または、その端末装置が所定の機能に対する導入およびテストの完了を示す情報を含む。なお、以下の説明において、所定の機能をサポートするかどうかは、所定の機能に対する導入およびテストを完了しているかどうかを含む。
【００８１】
例えば、端末装置が所定の機能をサポートする場合、その端末装置はその所定の機能をサポートするかどうかを示す情報（パラメータ）を送信する。端末装置が所定の機能をサポートしない場合、その端末装置はその所定の機能をサポートするかどうかを示す情報（パラメータ）を送信しない。すなわち、その所定の機能をサポートするかどうかは、その所定の機能をサポートするかどうかを示す情報（パラメータ）を送信するかどうかによって通知される。なお、所定の機能をサポートするかどうかを示す情報（パラメータ）は、１または０の１ビットを用いて通知してもよい。
【００８２】
無線リソース制御部１０１１は、下りリンクのＰＤＳＣＨに配置される下りリンクデータ（トランスポートブロック）、システムインフォメーション、ＲＲＣメッセージ、ＭＡＣ  ＣＥなどを生成、又は上位ノードから取得する。無線リソース制御部１０１１は、下りリンクデータを送信部１０３に出力し、他の情報を制御部１０２に出力する。また、無線リソース制御部１０１１は、端末装置の各種設定情報の管理をする。
【００８３】
スケジューリング部１０１２は、物理チャネル（ＰＤＳＣＨおよびＰＵＳＣＨ）を割り当てる周波数およびサブフレーム、物理チャネル（ＰＤＳＣＨおよびＰＵＳＣＨ）の符号化率および変調方式（あるいはＭＣＳ）および送信電力などを決定する。スケジューリング部１０１２は、決定した情報を制御部１０２に出力する。
【００８４】
スケジューリング部１０１２は、スケジューリング結果に基づき、物理チャネル（ＰＤＳＣＨおよびＰＵＳＣＨ）のスケジューリングに用いられる情報を生成する。スケジュー
リング部１０１２は、生成した情報を制御部１０２に出力する。
【００８５】
制御部１０２は、上位層処理部１０１から入力された情報に基づいて、送信部１０３および受信部１０４の制御を行なう制御信号を生成する。制御部１０２は、上位層処理部１０１から入力された情報に基づいて、下りリンク制御情報を生成し、送信部１０３に出力する。
【００８６】
送信部１０３は、制御部１０２から入力された制御信号に従って、下りリンク参照信号を生成し、上位層処理部１０１から入力されたＨＡＲＱインディケータ、下りリンク制御情報、および、下りリンクデータを、符号化および変調し、ＰＨＩＣＨ、ＰＤＣＣＨ、ＥＰＤＣＣＨ、ＰＤＳＣＨ、および下りリンク参照信号を多重して、アンテナ１０５を介して端末装置２に信号を送信する。
【００８７】
符号化部１０３１は、上位層処理部１０１から入力されたＨＡＲＱインディケータ、下りリンク制御情報、および下りリンクデータを、ブロック符号化、畳み込み符号化、ターボ符号化等の予め定められた符号化方式を用いて符号化を行なう、または無線リソース制御部１０１１が決定した符号化方式を用いて符号化を行なう。変調部１０３２は、符号化部１０３１から入力された符号化ビットをＢＰＳＫ（Binary Phase Shift Keying）、Ｑ
ＰＳＫ（quadrature Phase Shift Keying）、１６ＱＡＭ（quadrature amplitude modulation）、６４ＱＡＭ、２５６ＱＡＭ等の予め定められた、または無線リソース制御部２０１１が決定した変調方式で変調する。
【００８８】
多重部１０３４は、変調された各チャネルの変調シンボルと生成された下りリンク参照信号と下りリンク制御情報とを多重する。つまり、多重部１０３４は、変調された各チャネルの変調シンボルと生成された下りリンク参照信号と下りリンク制御情報とをリソースエレメントに配置する。なお、下りリンク参照信号は、基地局装置１Ａを識別するための物理セル識別子（ＰＣＩ、セルＩＤ）などを基に予め定められた規則で求まる、端末装置２Ａが既知の系列に基づいて、送信部１０３が生成する。
【００８９】
フレーム構成部１０３３は、送信部１０３が生成する送信信号のフレーム構成（フレームフォーマット、フレーム構造、フレームストラクチャ）を提供する。フレーム構成部１０３３の動作は後述する。なお、以下の説明では、送信部１０３がフレーム構成部１０３３を備えるものとするが、他の構成部が口授するフレーム構成部１０３３の機能を有していても良い。例えば、上位層処理部１０１が該機能を有していても構わない。
【００９０】
無線送信部１０３５は、多重された変調シンボルなどを逆高速フーリエ変換（Inverse Fast Fourier Transform: IFFT）してＯＦＤＭシンボルを生成し、ＯＦＤＭシンボルにサイクリックプレフィックス（cyclic prefix: CP）を付加してベースバンドのディジタル
信号を生成し、ベースバンドのディジタル信号をアナログ信号に変換し、フィルタリングにより余分な周波数成分を除去し、搬送周波数にアップコンバートし、電力増幅し、アンテナ１０５に出力して送信する。
【００９１】
受信部１０４は、制御部１０２から入力された制御信号に従って、送受信アンテナ１０５を介して端末装置２Ａから受信した受信信号を分離、復調、復号し、復号した情報を上位層処理部１０１に出力する。
【００９２】
受信部１０４は、制御部１０２から入力された制御信号に従って、アンテナ１０５を介して端末装置２Ａから受信した受信信号を分離、復調、復号し、復号した情報を上位層処理部１０１に出力する。
【００９３】
無線受信部１０４１は、送受信アンテナ１０５を介して受信された上りリンクの信号を、ダウンコンバートによりベースバンド信号に変換し、不要な周波数成分を除去し、信号レベルが適切に維持されるように増幅レベルを制御し、受信された信号の同相成分および直交成分に基づいて、直交復調し、直交復調されたアナログ信号をディジタル信号に変換する。
【００９４】
無線受信部１０４１は、変換したディジタル信号からＣＰに相当する部分を除去する。無線受信部１０４１は、ＣＰを除去した信号に対して高速フーリエ変換（Fast Fourier Transform：ＦＦＴ）を行い、周波数領域の信号を抽出し多重分離部１０４２に出力する。
【００９５】
多重分離部１０４２は、無線受信部１０４１から入力された信号をＰＵＣＣＨ、ＰＵＳＣＨ、上りリンク参照信号などの信号に分離する。なお、この分離は、予め基地局装置１Ａが無線リソース制御部１０１１で決定し、各端末装置２に通知した上りリンクグラントに含まれる無線リソースの割り当て情報に基づいて行なわれる。
【００９６】
また、多重分離部１０４２は、ＰＵＣＣＨとＰＵＳＣＨの伝搬路の補償を行なう。また、多重分離部１０４２は、上りリンク参照信号を分離する。
【００９７】
復調部１０４３は、ＰＵＳＣＨを逆離散フーリエ変換（Inverse Discrete Fourier Transform: IDFT）し、変調シンボルを取得し、ＰＵＣＣＨとＰＵＳＣＨの変調シンボルそれぞれに対して、ＢＰＳＫ、ＱＰＳＫ、１６ＱＡＭ、６４ＱＡＭ、２５６ＱＡＭ等の予め定められた、または自装置が端末装置２各々に上りリンクグラントで予め通知した変調方式を用いて受信信号の復調を行なう。
【００９８】
復号部１０４４は、復調されたＰＵＣＣＨとＰＵＳＣＨの符号化ビットを、予め定められた符号化方式の、予め定められた、又は自装置が端末装置２に上りリンクグラントで予め通知した符号化率で復号を行ない、復号した上りリンクデータと、上りリンク制御情報を上位層処理部１０１へ出力する。ＰＵＳＣＨが再送信の場合は、復号部１０４４は、上位層処理部１０１から入力されるＨＡＲＱバッファに保持している符号化ビットと、復調された符号化ビットを用いて復号を行なう。
【００９９】
図３は、本実施形態における端末装置２（端末装置２Ａおよび端末装置２Ｂ）の構成を示す概略ブロック図である。図３に示すように、端末装置２Ａは、上位層処理部（上位層処理ステップ）２０１、制御部（制御ステップ）２０２、送信部（送信ステップ）２０３、受信部（受信ステップ）２０４、チャネル状態情報生成部（チャネル状態情報生成ステップ）２０５とアンテナ２０６を含んで構成される。また、上位層処理部２０１は、無線リソース制御部（無線リソース制御ステップ）２０１１、スケジューリング情報解釈部（スケジューリング情報解釈ステップ）２０１２を含んで構成される。また、送信部２０３は、符号化部（符号化ステップ）２０３１、変調部（変調ステップ）２０３２、フレーム構成部（フレーム構成ステップ）２０３３、多重部（多重ステップ）２０３４、無線送信部（無線送信ステップ）２０３５を含んで構成される。また、受信部２０４は、無線受信部（無線受信ステップ）２０４１、多重分離部（多重分離ステップ）２０４２、信号検出部（信号検出ステップ）２０４３、を含んで構成される。
【０１００】
上位層処理部２０１は、ユーザの操作等によって生成された上りリンクデータ（トランスポートブロック）を、送信部２０３に出力する。また、上位層処理部２０１は、媒体アクセス制御（Medium Access Control: MAC）層、パケットデータ統合プロトコル（Packet
Data Convergence Protocol: PDCP）層、無線リンク制御（Radio Link Control: RLC）
層、無線リソース制御（Radio Resource Control: RRC）層の処理を行なう。
【０１０１】
上位層処理部２０１は、自端末装置がサポートしている端末装置の機能を示す情報を、送信部２０３に出力する。
【０１０２】
無線リソース制御部２０１１は、自端末装置の各種設定情報の管理をする。また、無線リソース制御部２０１１は、上りリンクの各チャネルに配置される情報を生成し、送信部２０３に出力する。
【０１０３】
無線リソース制御部２０１１は、基地局装置から送信されたＣＳＩフィードバックに関する設定情報を取得し、制御部２０２に出力する。
【０１０４】
スケジューリング情報解釈部２０１２は、受信部２０４を介して受信した下りリンク制御情報を解釈し、スケジューリング情報を判定する。また、スケジューリング情報解釈部２０１２は、スケジューリング情報に基づき、受信部２０４、および送信部２０３の制御を行なうために制御情報を生成し、制御部２０２に出力する。
【０１０５】
制御部２０２は、上位層処理部２０１から入力された情報に基づいて、受信部２０４、チャネル状態情報生成部２０５および送信部２０３の制御を行なう制御信号を生成する。制御部２０２は、生成した制御信号を受信部２０４、チャネル状態情報生成部２０５および送信部２０３に出力して受信部２０４、および送信部２０３の制御を行なう。
【０１０６】
制御部２０２は、チャネル状態情報生成部２０５が生成したＣＳＩを基地局装置に送信するように送信部２０３を制御する。
【０１０７】
受信部２０４は、制御部２０２から入力された制御信号に従って、アンテナ２０６を介して基地局装置１Ａから受信した受信信号を、分離、復調、復号し、復号した情報を上位層処理部２０１に出力する。
【０１０８】
無線受信部２０４１は、アンテナ２０６を介して受信した下りリンクの信号を、ダウンコンバートによりベースバンド信号に変換し、不要な周波数成分を除去し、信号レベルが適切に維持されるように増幅レベルを制御し、受信した信号の同相成分および直交成分に基づいて、直交復調し、直交復調されたアナログ信号をディジタル信号に変換する。
【０１０９】
また、無線受信部２０４１は、変換したディジタル信号からＣＰに相当する部分を除去し、ＣＰを除去した信号に対して高速フーリエ変換を行い、周波数領域の信号を抽出する。
【０１１０】
多重分離部２０４２は、抽出した信号をＰＨＩＣＨ、ＰＤＣＣＨ、ＥＰＤＣＣＨ、ＰＤＳＣＨ、および下りリンク参照信号に、それぞれ分離する。また、多重分離部２０４２は、チャネル測定から得られた所望信号のチャネルの推定値に基づいて、ＰＨＩＣＨ、ＰＤＣＣＨ、およびＥＰＤＣＣＨのチャネルの補償を行ない、下りリンク制御情報を検出し、制御部２０２に出力する。また、制御部２０２は、ＰＤＳＣＨおよび所望信号のチャネル推定値を信号検出部２０４３に出力する。
【０１１１】
信号検出部２０４３は、ＰＤＳＣＨ、チャネル推定値を用いて、信号検出し、上位層処理部２０１に出力する。
【０１１２】
送信部２０３は、制御部２０２から入力された制御信号に従って、上りリンク参照信号を生成し、上位層処理部２０１から入力された上りリンクデータ（トランスポートブロック）を符号化および変調し、ＰＵＣＣＨ、ＰＵＳＣＨ、および生成した上りリンク参照信号を多重し、アンテナ２０６を介して基地局装置１Ａに送信する。
【０１１３】
符号化部２０３１は、上位層処理部２０１から入力された上りリンク制御情報を畳み込み符号化、ブロック符号化等の符号化を行う。また、符号化部２０３１は、ＰＵＳＣＨのスケジューリングに用いられる情報に基づきターボ符号化を行なう。
【０１１４】
変調部２０３２は、符号化部２０３１から入力された符号化ビットをＢＰＳＫ、ＱＰＳＫ、１６ＱＡＭ、６４ＱＡＭ等の下りリンク制御情報で通知された変調方式または、チャネル毎に予め定められた変調方式で変調する。
【０１１５】
多重部２０３４は、制御部２０２から入力された制御信号に従って、ＰＵＳＣＨの変調シンボルを並列に並び替えてから離散フーリエ変換（Discrete Fourier Transform: DFT
）する。また、多重部２０３４は、ＰＵＣＣＨとＰＵＳＣＨの信号と生成した上りリンク参照信号を送信アンテナポート毎に多重する。つまり、多重部２０３４は、ＰＵＣＣＨとＰＵＳＣＨの信号と生成した上りリンク参照信号を送信アンテナポート毎にリソースエレメントに配置する。  なお、上りリンク参照信号は、基地局装置１Ａを識別するための物理セル識別子（physical cell identity: PCI、Cell IDなどと称される）、上りリンク参照信号を配置する帯域幅、上りリンクグラントで通知されたサイクリックシフト、ＤＭＲＳシーケンスの生成に対するパラメータの値などを基に、予め定められた規則（式）で求まる系列に基づいて送信部２０３により生成される。
【０１１６】
フレーム構成部２０３３は、基地局装置１Ａが備えるフレーム構成部１０３３と同様に、送信部２０３が生成する送信信号のフレームフォーマット（フレーム構造、フレームタイプ、フレーム形式、フレームパターン、フレーム生成方法、フレーム定義）、もしくはフレームフォーマットを示す情報、もしくはフレームそのものを提供する。フレーム構成部２０３３の動作については後述する。なお、フレーム構成部２０３３の機能を、他の構成部（例えば、上位層処理部２０１）が備えていても構わないことは、言うまでもない。
【０１１７】
無線送信部２０３５は、多重された信号を逆高速フーリエ変換（Inverse Fast Fourier
Transform: IFFT）して、ＳＣ−ＦＤＭＡ方式の変調を行い、ＳＣ−ＦＤＭＡシンボルを生成し、生成されたＳＣ−ＦＤＭＡシンボルにＣＰを付加し、ベースバンドのディジタル信号を生成し、ベースバンドのディジタル信号をアナログ信号に変換し、余分な周波数成分を除去し、アップコンバートにより搬送周波数に変換し、電力増幅し、送受信アンテナ２０６に出力して送信する。
【０１１８】
本実施形態に係る信号検出部２０４３は、自装置宛ての送信信号の多重状態に関する情報と、自装置宛ての送信信号の再送状態に関する情報に基づいて、復調処理を行なうことが可能である。
【０１１９】
図４は、本実施形態に係るフレーム構成部１０３３が生成する下りリンク信号のフレームフォーマット（第１のフレームフォーマット、第１のフレーム構造）の一例を示す概要図である。図４に示すように、第１フレームフォーマットは、制御信号リソース４０００と、データ信号リソース４００１と、共通参照信号（共通ＲＳ、セル固有ＲＳ）リソース４００２と、固有参照信号（固有ＲＳ、復調用参照信号、復調用ＲＳ、端末固有参照信号）リソース４００３と、の何れか１つを少なくとも備える。
【０１２０】
フレームを実現する信号波形（伝送方式）は何かに限定されるものではなく、ＯＦＤＭ伝送に代表されるマルチキャリア伝送方式でも良いし、ＳＣ−ＦＤＭＡ伝送に代表されるシングルキャリア伝送方式でも良い。例えば、ＯＦＤＭ伝送であれば、第１のフレームフォーマットは複数のＯＦＤＭ信号で構成されることになる。
【０１２１】
各リソースの時間長（時間周期）および帯域幅は何かに限定されるものではない。例えば、制御信号リソース４０００は、時間長として３ＯＦＤＭシンボル長を備え、帯域幅として、１２サブキャリアを備えることができる。
【０１２２】
第１のフレームフォーマットは、時間方向および周波数方向にアグリゲーションすることが可能である。図５は、本実施形態に係るフレーム構成部１０３３が生成する下りリンク信号のフレームフォーマットの一例を示す概要図である。図５の例では、サブフレーム５０００が時間方向にＮ個アグリゲーションされることで１つのフレームが構成されている。サブフレーム５０００は、図４に示す第１のフレームフォーマットの構成とすることができる。なお、図５の例によれば、該フレームが占有する周波数帯域幅はサブフレーム５０００の周波数帯域幅と同じとなるが、該フレームは、サブフレーム５０００を周波数方向にアグリゲーションすることが可能である。例えば、サブフレーム５０００を周波数方向に８個配置する構成となれば、該フレームが占有する周波数帯域幅は、サブフレーム５０００の周波数帯域幅の８倍となる。図５に示すように、複数のサブフレームからフレームが構成される場合、図４に示すフレームフォーマットを第１のサブフレームフォーマットと呼び、図５に示すフレームフォーマットを、第１のフレームフォーマットと呼ぶことともする。
【０１２３】
なお、本実施形態において、複数のサブフレームを束ねて１つのフレームを形成することを、アグリゲーションと呼称しているが、フレーム構成部１０３３は、複数のサブフレームを時間方向および周波数方向に複数配置することで生成したフレームフォーマットを、最初から１つのフレームフォーマットと定義することが可能である。また、時間方向及び／又は周波数方向に束ねる数はパラメータとして設定されてもよく、この場合、このパラメータは基地局装置から端末装置に指示される。
【０１２４】
図４に戻り、制御信号リソース４０００には、基地局装置１Ａが送信する下りリンク信号に関する制御情報が含まれる。該制御情報は、例えば、基地局装置１ＡがＰＤＣＣＨで送信する情報である。該制御情報には、基地局装置１Ａに接続する全ての端末装置に報知される共通制御情報と、基地局装置１Ａに接続する各端末装置に個別に通知される固有制御情報とを含む。
【０１２５】
データ信号リソース４００１には、基地局装置１Ａが送信するデータ信号が含まれる。該データ信号は、例えば、基地局装置１ＡがＰＤＳＣＨで送信する情報である。
【０１２６】
共通ＲＳリソース４００２には、基地局装置１Ａに接続される全ての端末装置に送信される共通参照信号（共通ＲＳ、セル固有参照信号）が配置される。共通ＲＳは、端末装置２Ａが、自装置の受信品質に関連付けられた情報（例えばＣＳＩ）を推定するのに用いられる。また、共通ＲＳは、端末装置２Ａが制御信号リソース４０００で送信される信号を復調するためにも用いられる。また、共通ＲＳは、端末装置２Ａが基地局装置１Ａを検出するためにも用いられる。また、共通ＲＳは、端末装置２Ａが基地局装置１Ａより送信される信号に対して同期処理（サンプリング同期、ＦＦＴ同期）を行なうためにも用いられる。
【０１２７】
固有ＲＳリソース４００３には、基地局装置１Ａに接続される端末装置２にそれぞれ個別に送信される固有参照信号（固有ＲＳ、復調用参照信号）が配置される。固有ＲＳは、基地局装置１Ａが、データ信号リソース４００１に配置する各端末装置宛てのデータ信号に関連付けられている。端末装置２Ａは、データ信号リソース４００１に配置された自装置宛てのデータ信号を復調するために、自装置宛てに送信された固有ＲＳを用いることができる。
【０１２８】
第１のフレームフォーマットは、図４に示すようにデータ信号リソース４００１が共通ＲＳリソース４００２と固有ＲＳリソース４００３を備えることができる。また、フレーム構成部１０３３は、共通ＲＳリソース４００２および固有ＲＳリソース４００３を、時間方向および周波数方向に対して離散的に配置することができる。なお、フレーム構成部１０３３は、データ信号リソース４００１に、更に制御情報リソース４０００を備えても良い。フレーム構成部１０３３が、データ信号リソース４００１に備える制御情報リソース４０００は、例えば、ＥＰＤＣＣＨが配置されるリソースであり、該リソースは、データ信号リソース４００１において他の信号が配置されるリソースに対して、時間多重されても良いし、周波数多重されても良い。
【０１２９】
フレーム構成部１０３３は、第１のフレームフォーマットに対して、更に同期信号リソース４００４および報知信号リソース４００７を備えることができる。同期信号リソース４００４および報知信号リソース４００７には、基地局装置１Ａから送信される信号を受信可能な端末装置２に報知される同期信号および報知信号が配置される。同期信号は、端末装置２Ａが、基地局装置１Ａから送信される信号に対する初期同期を行なうための信号であり、例えばＰＳＳ（Primary Synchronization Signal、プライマリ同期信号）やＳＳＳ（Secondary Synchronization Signal、セカンダリ同期信号）である。報知信号は、端末装置２Ａが、基地局装置１Ａに関するシステム情報を取得するための信号であり、例えば基地局装置１ＡがＰＢＣＨで送信する情報を含む。フレーム構成部１０３３は、同期信号リソース４００４および報知信号リソース４００７を、必ずしも、すべてのサブフレームに対して配置する必要はない。
【０１３０】
基地局装置１Ａは、同期信号リソース４００４および報知信号リソース４００７を配置するリソース位置（もしくは配置する可能性のあるリソース候補）を、端末装置２Ａに対して、通知（指示）することができる。また、基地局装置１Ａと、端末装置２Ａは、同期信号リソース４００４および報知信号リソース４００７を配置されるリソース位置（もしくは配置する可能性のあるリソース候補）を予め取り決めておくことができる。なお、ここでリソース位置を示す情報には、時間リソース（サブフレーム番号、ＯＦＤＭ信号番号、フレーム番号、スロット番号等）、周波数リソース（サブキャリア番号、リソースブロック番号、周波数バンド番号等）、空間リソース（送信アンテナ番号、アンテナポート番号、空間ストリーム番号等）、符号リソース（拡散符号系列、符号生成式、符号生成シード等）等を示す情報が含まれる。
【０１３１】
なお、以下では、上記と同様に、「基地局装置１Ａが端末装置２Ａに情報を通知する」と記載した場合、特に断らない限り、基地局装置１Ａと端末装置２Ａとの間で該情報を予め共有している状態（もしくは予め取り決めておく状態）も含む。一般的に、基地局装置１Ａが端末装置２Ａに情報を通知することで、オーバーヘッドは増加するが、時々刻々と変化する無線伝搬環境に対応することができる。一方で、基地局装置１Ａと端末装置２Ａが予め情報を共有しておくと、時々刻々と変化する無線伝搬環境への対応が難しくなる場合もあるが、オーバーヘッドは低下する。
【０１３２】
図６は、本実施形態に係るフレーム構成部１０３３が生成する下りリンク信号のフレームフォーマット（第２のフレームフォーマット、第２のフレーム構造）の一例を示す概要図である。図６に示すように、第２のフレームフォーマットは、制御信号リソース４０００と、データ信号リソース４００１と、共通ＲＳリソース４００２と、固有ＲＳリソース４００３と、の何れか１つを少なくとも備える。
【０１３３】
第２のフレームフォーマットは、共通ＲＳリソース４００２と、データ信号リソース４００１が、時間的にシーケンシャルに配置される。また、第２のフレームフォーマットは、フレームの前半に共通ＲＳリソース４００２と、制御信号リソース４０００が配置され
る。なお、図６に示す例では固有ＲＳリソース４００３も、フレームの前半に配置されるが、フレーム構成部１０３３は、データ信号リソース４００１に、固有ＲＳリソース４００３を含めることができる。データ信号リソース４００１が、固有ＲＳリソース４００３を含む場合、フレーム構成部１０３３は、該固有ＲＳリソース４００３を、時間方向および周波数方向に離散的にデータ信号リソース４００１の範囲内に配置することができる。
【０１３４】
なお、フレーム構成部１０３３は、データ信号リソース４００１に、更に制御情報リソース４０００を備えても良い。フレーム構成部１０３３が、データ信号リソース４００１に備える制御情報リソース４０００に配置される信号は、例えば、ＥＰＤＣＣＨで送信される信号である。制御情報リソース４０００は、データ信号リソース４００１において他の信号が配置されるリソースに対して、時間多重されても良いし、周波数多重されても良い。
【０１３５】
第２のフレームフォーマットに基づいて生成された送信信号を受信する端末装置２Ａは、フレーム前半に配置された共通ＲＳリソース４００２に配置された共通ＲＳを用いることで、該送信信号を送信した装置に対する初期同期処理を行なうことが可能である。すなわち、本実施形態に係るフレーム構成部１０３３は、第２のフレームフォーマットにおいては、共通ＲＳリソース４００２に同期信号リソース４００４を含めることができる。フレーム構成部１０３３は、第２のフレームフォーマットにおいて、共通ＲＳリソース４００２を配置するリソースと同期信号リソース４００４を配置するリソースを共通とすることができる。フレーム構成部１０３３は、共通ＲＳリソース４００２に配置される共通ＲＳの一部を、同期信号とすることができる。
【０１３６】
フレーム構成部１０３３は、第１のフレームフォーマットに対して同期信号リソース４００４を配置するリソースと、第２のフレームフォーマットに対して同期信号を配置するリソースを、共通とすることも出来るし、異なるリソースとすることもできる。基地局装置１Ａは、第１のフレームフォーマットに配置される同期信号リソース４００４で送信する同期信号と、第２のフレームフォーマットに配置される同期信号リソース４００４で送信する同期信号とを、同じ信号とすることが出来るし、異なる信号とすることができる。ここで、同じ信号とは、該信号に含まれる情報、もしくは該信号に適用される無線パラメータの少なくとも一部が共通であることを含む。
【０１３７】
フレーム構成部１０３３が第１のフレームフォーマットおよび第２のフレームフォーマットに対して、同期信号リソース４００４（もしくは報知信号リソース４００７）を配置するリソースが異なる場合、端末装置２Ａの受信部２０４は、同期信号リソース４００４が配置される可能性のある複数のリソースに対して同期処理を行なうことができる。そして、端末装置２Ａの受信部２０４は、該複数のリソースに対する同期処理の結果に基づいて、自装置が受信している信号のフレームフォーマットを認識することができる。例えば、端末装置２Ａの受信部２０４が、第２のフレームフォーマットにおいて同期信号リソース４００４が配置される可能性のあるリソースに対して同期処理を行ない、その結果として同期がとれたと判断した場合、端末装置２Ａの受信部２０４は、自装置が受信した信号のフレームフォーマットは第２のフレームフォーマットであると認識することができる。すなわち、端末装置２Ａは、フレームフォーマットをブラインド検出することが可能であり、上記方法によれば、端末装置２Ａは、同期処理によって、フレームフォーマットをブラインド検出することができる。
【０１３８】
フレーム構成部１０３３は、第２のフレームフォーマットに、さらに報知信号リソース４００７を含めることができる。第１のフレームフォーマットと同様に、フレーム構成部１０３３は、全ての送信信号に報知信号リソース４００７を含める必要はない。フレーム構成部１０３３が第２のフレームフォーマットに対して報知信号リソース４００７を配置
するリソースは、フレーム構成部１０３３が第１のフレームフォーマットに対して報知信号リソース４００７を配置したリソースと同じとすることができるし、異なるリソースとすることもできる。
【０１３９】
基地局装置１Ａおよび端末装置２Ａは、フレームフォーマットごとに、同期信号リソース４００４および報知信号リソース４００７が配置されるリソース（もしくは配置される可能性のあるリソース候補）を予め取り決めておくことができる。この場合、基地局装置１Ａは、自装置が送信している信号のフレームフォーマットを端末装置２Ａに通知することで、該リソースもしくは該リソース候補群を、端末装置２Ａに通知することができる。
【０１４０】
また、基地局装置１Ａは、第１のフレームフォーマットに対して配置された報知信号リソース４００７で送信する信号に含まれる情報と、第２のフレームフォーマットに対して配置された報知信号リソース４００７で送信する信号に含まれる情報と、を共通とすることも出来るし、それぞれ異なった情報とすることも可能である。また、基地局装置１Ａは、第１のフレームフォーマットに対して配置された報知信号リソース４００７で送信する信号の無線パラメータ（符号化率、変調方式、符号長、拡散率等）と、第２のフレームフォーマットに対して配置された報知信号リソース４００７で送信する信号の無線パラメータと、を共通とすることも出来るし、それぞれ異なった無線パラメータとすることも可能である。
【０１４１】
基地局装置１Ａは、フレーム構成部１０３３が第２のフレームフォーマットに対して報知信号リソース４００７を配置するリソース（もしくは配置する可能性のあるリソース候補）を端末装置２Ａに対して通知することができる。基地局装置１Ａは、第１のフレームフォーマットに対して報知信号リソース４００７を配置するリソースと、第２のフレームフォーマットに対して報知信号リソース４００７を配置するリソースとを、それぞれ個別に端末装置２Ａに通知することができる。
【０１４２】
なお、基地局装置１Ａが端末装置２Ａに通知する各リソースに関する情報は、基地局装置１Ａと端末装置２Ａとの間で予め取り決めておくことが可能であることは言うまでもない。
【０１４３】
基地局装置１Ａに接続する端末装置２Ａは、報知信号リソース４００７で送信されている信号に含まれる情報を取得することで、自装置が受信している信号のフレームフォーマットを認識することができる。また、基地局装置１Ａのフレーム構成部１０３３が、フレームフォーマットに応じて、報知信号リソース４００７を配置するリソースを変更している場合、端末装置２Ａの受信部２０４は、報知信号リソース４００７が配置される可能性のあるリソースに対して、報知信号の復調処理を行なうことができる。端末装置２Ａは、正しく復調できた報知信号が配置されていたリソースを示す情報に基づいて、自装置が受信した信号のフレームフォーマットを認識することができる。すなわち、端末装置２Ａは、フレームフォーマットをブラインド検出することが可能であり、上記方法によれば、端末装置２Ａは、報知信号の取得によって、フレームフォーマットをブラインド検出することができる。
【０１４４】
フレーム構成部１０３３は、第１のフレームフォーマットと同様に、図６に示すフレームフォーマットを第２のサブフレームフォーマット（第２のサブフレーム）として、時間方向および周波数方向に、サブフレームをアグリゲーションすることで第２のフレームフォーマットを定義することができる。フレーム構成部１０３３は、サブフレームをアグリゲーションする際に、共通ＲＳリソース４００１と、制御情報リソース４０００と、データ信号リソース４００１と、固有ＲＳリソース４００３の全てを含んだフレームをアグリゲーションすることが出来るし、上記４つのリソースのうち、特定の組み合わせのリソー
スを含んだフレームをアグリゲーションすることができる。例えば、フレーム構成部１０３３は、フレームをアグリゲーションする際に、データ信号リソース４００１だけを複数個アグリゲーションすることができる。
【０１４５】
図７は、本実施形態に係るフレーム構成部１０３３が生成する下りリンク信号のフレームフォーマット（第２のフレームフォーマット）の一例を示す概要図である。図７において（ａ）がアグリゲーションを行なわない場合である。フレーム構成部１０３３は、図７（ｂ）に示すように、データ信号リソース４００１を時間方向にアグリゲーションすることができる。図７（ｂ）の例によれば、基地局装置１Ａは、端末装置２Ａ宛てのデータサイズ（ペイロードサイズ）に応じて、柔軟にフレームフォーマットを変更することができる
【０１４６】
フレーム構成部１０３３は、図７（ｃ）に示すように、データ信号リソース４００１に加えて、固有ＲＳリソース４００３も時間方向にアグリゲーションすることができる。図７（ｃ）によれば、基地局装置１Ａは、各データ信号リソース４００１に対して、違う端末装置２宛てのデータ信号を配置することができる。また、固有ＲＳが時間方向に周期的に配置されるため、基地局装置１Ａは、高速移動環境下にある端末装置２にも安定した無線通信を提供することができる。
【０１４７】
フレーム構成部１０３３は、図７（ｄ）に示すように、データ信号リソース４００１を時間方向にアグリゲーションすることができるが、アグリゲーションするデータ信号リソース４００１のフレーム長を、アグリゲーションしない場合のフレーム長（図７（ａ）に示すフレームのフレーム長）にそろえることができる。図７（ｄ）によれば、近傍に位置する基地局装置同士が、異なるアグリゲーションサイズで、第２のフレームフォーマットに基づいて下りリンク信号を送信しても、基地局装置間でフレーム同期を容易に取ることができる。当然、図７（ｅ）に示すように、データリソース信号リソース４００１に加えて、固有ＲＳリソース４００３を時間方向にアグリゲーションする場合も、アグリゲーションするフレームのフレーム長を揃えることができる。
【０１４８】
フレーム構成部１０３３は、図７（ｆ）に示すように、さらに共通ＲＳリソース４００２と、制御信号リソース４０００も、時間方向にアグリゲーションすることができる。また、フレーム構成部１０３３は、図７（ｇ）や図７（ｈ）に示すように、基地局装置１Ａの無送信区間（ヌル区間、ＮＵＬＬ区間）をフレームフォーマット内に備えることができる。該無送信区間の長さは、データ信号リソース４００１の長さと同じとされても良いし、データ信号リソース４００１を構成する要素（例えばＯＦＤＭ信号長）の整数倍とされても良い。
【０１４９】
フレーム構成部１０３３は、図７（ｉ）に示すように、制御情報リソース４０００、共通ＲＳリソース４００２および固有ＲＳリソース４００３をアグリゲーションすることもできる。フレーム構成部１０３３は、共通ＲＳリソース４００２をアグリゲーションすることで、送信部１０３は各共通ＲＳリソースで送信する共通ＲＳにそれぞれ異なるビームフォーミングを適用することができる。よって、例えば、端末装置２Ａは、該複数の共通ＲＳに関連付けられた受信品質を接続している基地局装置１Ａに通知することが可能となる。
【０１５０】
フレーム構成部１０３３は、図７（ｊ）に示すように、制御情報リソース４０００を備えない第２のフレームフォーマットを用いることができるし、制御情報リソース４０００および共通ＲＳリソース４００２を備えない第２のフレームフォーマットを用いることもできる。
【０１５１】
図７（ｊ）に示すように、基地局装置１Ａが制御情報リソース４０００や共通ＲＳリソース４００２を含まない第２のフレームフォーマットに基づいて信号を送信している場合、基地局装置１Ａは、他の周波数において、制御情報リソース４０００や共通ＲＳリソース４００２を含む第２のフレームフォーマットを送信することができる。例えば、基地局装置１Ａは、６ＧＨｚ以上の高周波数帯で送信する信号には、制御情報リソース４０００や共通ＲＳリソース４００２を含まない第２のフレームフォーマットに基づいて信号を送信する一方で、６ＧＨｚ未満の低周波数帯で送信する信号には制御情報リソース４０００や共通ＲＳリソース４００２を含む第２のフレームフォーマットに基づいて信号を送信することができる。この場合、基地局装置１Ａは、６ＧＨｚ未満の低周波数帯で送信する信号には、固有ＲＳリソース４００３やデータ信号リソース４００１を含まない第２のフレームフォーマットに基づいて信号を送信することができる。
【０１５２】
なお、フレーム構成部１０３３が、第２のフレームフォーマットに基づいて生成される信号を、時間方向および周波数方向にアグリゲーションする際、アグリゲーションされる各信号に含まれる各リソース（例えば共通ＲＳリソース４００１やデータ信号リソース４００２）のリソース数は、共通でも構わないし、それぞれ異なった値でも良い。ただし、基地局装置１Ａから端末装置２Ａへのシグナリング係るオーバーヘッドを抑圧する観点から、該リソース数は、アグリゲーションされる信号の信号長および周波数帯域幅に関連付けられていることが好適である。また、アグリゲーションされる複数のフレームのフレーム長や周波数帯域幅についても、共通でも構わないし、それぞれ異なった値でも構わない。ただし、基地局装置１Ａから端末装置２Ａへのシグナリング係るオーバーヘッドを抑圧する観点から、各フレーム間のフレーム長および周波数帯域幅の関係は、整数倍の関係であることが好適である。
【０１５３】
図８は、本実施形態に係るフレームフォーマットの１構成例を示す概要図である。フレーム構成部１０３３は、図８に示すように、第２のフレームフォーマットに対して、ＲＦ切替期間４００５と、上りリンク信号リソース４００６を含めることができる。図８に示すフレームフォーマットは、時間分割複信（Time division duplex：ＴＤＤ）を複信方式とする基地局装置１Ａおよび端末装置２Ａが用いることができる。ＲＦ切替期間４００５は、該フレームフォーマットに基づいて基地局装置１Ａが送信した信号を受信した端末装置が、自装置の受信動作を送信動作に切り替えるために用いる期間である。基地局装置１Ａは、ＲＦ切替期間４００５を無送信期間としても良いし、何かしらの信号（例えば共通RS）を送信しても良い。なお、第２のフレームフォーマットに基づいて生成されたフレームを連続して送信するために、フレーム構成部１０３３は、上りリンク信号リソース４００６の後半にも、ＲＦ切替期間４００５を設けても良いし、連続して送信されるフレーム間に無送信区間を設定することもできる。なお、基地局装置１Ａは、第２のフレームフォーマットを用いる場合、ＴＤＤを用いる場合には、ＲＦ切替期間４００５と、上りリンク信号リソース４００６を第２のフレームフォーマットに設定し、ＦＤＤを用いる場合には、ＲＦ切替期間４００５と、上りリンク信号リソース４００６を第２のフレームフォーマットに設定せずに、それぞれの第２のフレームフォーマットに基づいて、送信信号を生成できる。
【０１５４】
図８に示すフレームフォーマットに基づいて基地局装置１Ａが送信した送信信号を受信した端末装置２Ａは、データ信号リソース４００１に配置された自装置宛てのデータ信号に関する受信可否を示す情報（ACKもしくはNACK）を、上りリンク信号リソース４００６
に配置して、基地局装置１Ａに対して送信することができる。よって、基地局装置１Ａは、端末装置２Ａ宛てのデータ信号が正しく受信されたか否かを、すぐに把握することが可能となるから、下りリンク信号の送信に係る遅延時間を短縮することが可能となる。
【０１５５】
フレーム構成部１０３３は、第１のフレームフォーマットおよび第２のフレームフォー
マットを含む複数のフレームフォーマットを定義することができる。また、フレーム構成部１０３３は、第１のフレームフォーマットおよび第２のフレームフォーマットの無線パラメータを変更することで、複数のフレームフォーマットを定義することができる。ここで、無線パラメータには、周波数帯域幅、中心周波数、周波数バンド、サブキャリア間隔、サブキャリア数、シンボル長、ＦＦＴ／ＩＦＦＴサンプリング周期、ＧＩ長、ＣＰ長、フレーム長、サブフレーム長、スロット長、ＴＴＩ、ＦＦＴポイント数、適用される誤り訂正符号の種類（例えば、第１のフレームフォーマットにはターボ符号が適用され、第２のフレームフォーマットには低密度パリティ検査符号が適用される等）等の一部又は全部が含まれる。また、同じフレームフォーマットで異なる無線パラメータが設定された場合、各々はタイプ（モード）が異なるとも呼ぶ。例えば、第１のフレームフォーマットに対して値の異なる無線パラメータ１と無線パラメータ２が設定された場合、各々を第１のフレームフォーマットタイプ１、第１のフレームフォーマットタイプ２と呼ぶことができる。また、基地局装置は、無線パラメータに含まれる各々の値が予め設定された無線パラメータセットを持つことができる。無線パラメータセットは１又は複数設定することができ、フレーム構成部１０３３は、無線パラメータセットを変更することで、異なるフレームフォーマット／フレームフォーマットタイプを設定することができる。また各無線パラメータセットが複数ある場合、各無線パラメータセットは簡単なルールで設定される事ができる。例えば無線パラメータセットが３つある場合、無線パラメータセット２のサブキャリア間隔は無線パラメータセット１のサブキャリア間隔はＸ（Ｘは２以上の整数）倍で、無線パラメータセット３のサブキャリア間隔は無線パラメータセット２のサブキャリア間隔はＹ（Ｙは２以上の整数）倍とすることができる。なお各無線パラメータセットに含まれる一部のパラメータは共通の値となってもよい。また無線パラメータセットは、基地局装置から端末装置に送信（指示）される。このとき端末装置は、基地局装置から受信した無線パラメータセットによって、フレームフォーマット／フレームタイプを知ることができる。なお、以降では、特に断りがない限り、フレームフォーマットと言った場合でもフレームフォーマットタイプのことも含まれるものとする。また、上記無線パラメータセットに対応しているか否かは端末の能力とすることができる。
【０１５６】
本実施形態に係る基地局装置１Ａは、複数のフレームフォーマットを選択的に、もしくは同時に用いることができる。また、基地局装置１Ａは、第１のフレームフォーマットおよび第２のフレームフォーマットに対して、それぞれ異なる無線パラメータを選択的に、もしくは一部を共通に設定することができる。基地局装置１Ａは、自装置が送信信号に用いているフレームフォーマットを示す情報を端末装置２Ａに通知することができる。ここで、フレームフォーマットを示す情報には、基地局装置１Ａが複数個予め定義するフレームフォーマットの何れかを示す情報（数値、指標、インジケータ）や、フレームフォーマットが含むリソース類を示す情報（例えば、制御情報リソース４０００、データ信号リソース４００１、共通ＲＳリソース４００２、固有ＲＳリソース４００３のいずれを含むか、もしくはいずれを含まないかを示す情報）や、各リソース類が配置されるリソースおよび配置される可能性のあるリソース候補を示す情報等を含む。基地局装置１Ａは、該フレームフォーマットを示す情報の少なくとも一部を、端末装置２Ａに対して、ＰＨＹ層のシグナリングで通知することが出来るし、ＲＲＣシグナリング等の上位層のシグナリングで通知することが出来る。
【０１５７】
基地局装置１Ａは、自装置が通信サービスを提供するユースケース（もしくはユースシナリオ）に応じて、フレームフォーマットを切り替えて用いることができる。また、基地局装置１Ａは、自装置が通信サービスを提供するユースシナリオに応じて、フレームフォーマットの無線パラメータを変更して用いることができる。
【０１５８】
本実施形態に係る基地局装置１Ａは、複数のユースシナリオを満足するために、複数のフレームフォーマットの組み合わせ（セット、集合）、もしくはフレームフォーマットに
設定される複数の無線パラメータセットの組み合わせ（セット、集合）を備えることができる。基地局装置１Ａは、予め準備したフレームフォーマットセット（もしくは無線パラメータセットの組み合わせ）より、自装置が通信サービスを提供するユースケースに応じて、フレームフォーマットを選択し、自装置が送信する送信信号を生成することができる。基地局装置１Ａが備えるフレームフォーマット集合は、他の基地局装置が備えるフレームフォーマット集合と共通でも良いし、異なっていても良い。また、基地局装置１Ａは、自装置に接続している端末装置２Ａに対して、自装置が備えるフレームフォーマット集合を通知することができる。
【０１５９】
本実施形態に係る基地局装置１Ａは、複数のユースシナリオを満足するために、複数の送信モードを切り替えて選択することができる。ここで送信モードとは、基地局装置１Ａの送信部１０３が、送信信号を生成する際に用いることができる無線パラメータ、多重方式、スケジューリング方法、プリコーディング方法等の組み合わせで定義されるものである。複数の送信モードには、それぞれフレームフォーマットが割り当てられることができる。なお、複数の送信モードに割り当てられるフレームフォーマット／無線パラメータは、全て異なっていても良いし、一部が共通でも良い。この場合、基地局装置１Ａは、送信モードを選択することにより、複数のフレームフォーマット／無線パラメータを選択的に用いることが可能となる。
【０１６０】
基地局装置１Ａは、３つのユースシナリオをとして、ＥＭＢＢ（Enhanced mobile broadband）、ＥＭＴＣ（Enhanced Massive machine type communication）、およびＵＲＬＬＣ（Ultra-reliable and low latency communication）のそれぞれに対して、複数のフレームフォーマットを選択的もしくは同時に用いることができる。また、基地局装置１Ａは、ＥＭＢＢ、ＥＭＴＣ、およびＵＲＬＬＣのそれぞれに対して、無線パラメータの異なる第２のフレームフォーマットを用いることができる。フレーム構成部１０３３は、基地局装置１Ａが通信サービスを提供するユースシナリオに応じて、フレームフォーマットの選択および、フレームフォーマットに設定される無線パラメータを決定することが可能である。
【０１６１】
例えば、基地局装置１Ａは、ＥＭＢＢに関する下りリンク信号については、第１のフレームフォーマットに基づいてフレームを生成し、ＭＭＴＣおよびＵＲＬＬＣに関する下りリンク信号については、第２のフレームフォーマットに基づいてフレームを生成することができる。この方法では、基地局装置１Ａは、自装置が通信サービスを提供するユースケース（もしくはユースシナリオ）に応じてフレームフォーマットを切り替えているが、本実施形態に係る方法は、必ずしもユースケース毎にフレームフォーマットが定義されることに限定されるものではない。
【０１６２】
基地局装置１Ａは、自装置が下りリンク信号を送信する無線媒体に基づいて、複数のフレームフォーマット／無線パラメータを選択的に、もしくは同時に用いることができる。ここで、無線媒体とは、時間リソースや、周波数リソース等の無線リソースを含むことができる。また、無線媒体とは、基地局装置１Ａが下りリンク信号を送信する周波数バンドに適用される複信方式によって区別される無線リソースを含むことができる。
【０１６３】
また、無線媒体とは、基地局装置１Ａが、通信サービスを提供するユースケース（もしくはユースシナリオ）に応じて、区別される無線リソースを含むことができる。基地局装置１Ａは、通信サービスを提供するユースケース（もしくはユースシナリオ）に応じて、使用する無線媒体を選択することができる。基地局装置１Ａは、各ユースケース（もしくはユースシナリオ）に通信サービスを提供する際に使用する無線媒体を予め、決定しておくことができる。よって、無線媒体とユースケースはお互いに関連付けられており、基地局装置１Ａは、使用する無線媒体が、どのユースケース（もしくはユースシナリオ）に関
連付けられているかに基づいて、複数のフレームフォーマット／無線パラメータを選択的に、もしくは同時に用いることができる。
【０１６４】
基地局装置１Ａは、自装置が下りリンク信号を送信する無線媒体に基づいて、選択的に、もしくは同時に用いている複数のフレームフォーマット／無線パラメータを示す情報を、端末装置２Ａに対してＰＨＹ層／ＭＡＣ層もしくはＲＲＣシグナリング等の上位層のシグナリングによって通知することができる。なお、基地局装置１Ａは、上記複数のフレームフォーマット／無線パラメータを示す情報の全てを端末装置２Ａに通知する必要はなく、例えば、基地局装置１Ａは、上記複数のフレームフォーマット／無線パラメータの候補を端末装置２Ａに対して通知することができる。端末装置２Ａは、基地局装置１Ａが、無線媒体に基づいて、選択的に、もしくは同時に用いている複数のフレームフォーマット／無線パラメータを示す情報を、基地局装置１Ａより前述の方法によりシグナリングされることも出来るし、一部の情報をブラインド検出することも出来る。なお、端末装置２Ａは、自装置が受信可能な上記複数のフレームフォーマット／無線パラメータに関する情報を、基地局装置１Ａに通知することができる。
【０１６５】
基地局装置１Ａは、下りリンク信号を送信する周波数（周波数バンド、チャネル）に応じて、複数のフレームフォーマット／無線パラメータを選択的に、もしくは同時に用いることができる。例えば、基地局装置１Ａは、下りリンク信号を送信可能な周波数を、複数のグループに棲み分けることができる。例えば、基地局装置１Ａは、６ＧＨｚ未満の周波数（Below 6GHz）を周波数バンド１とし、６ＧＨｚ以上の周波数（Above 6GHz）を周波数バンド２とし、周波数バンド１で下りリンク信号を送信する場合と、周波数バンド２で下りリンク信号を送信する場合とで、フレームフォーマットを切り替えて用いることができる。また、基地局装置１Ａは、２ＧＨｚ未満の周波数を周波数バンド１とし、２ＧＨｚ以上６ＧＨｚ未満の周波数を周波数バンド２とし、６ＧＨｚ以上の周波数を周波数バンド３とし、各周波数バンドで下りリンク信号を送信する場合、各周波数バンドで定義されたフレームフォーマットに基づいて送信信号を生成することができる。
【０１６６】
基地局装置１Ａは、異なるフレームフォーマット／無線パラメータに基づいて生成された信号を同時に送信することができる。図９は、本実施形態に係る基地局装置１Ａが送信する下りリンク信号の一構成例を示す概要図である。図９の例によれば、基地局装置１Ａは、周波数に応じて、異なるフレームフォーマットを用いている。基地局装置１Ａは、１つのＯＦＤＭ信号に、複数の異なるフレームフォーマットを混在させることができる。例えば、１つのＯＦＤＭ信号を構成する複数のサブキャリアを複数のサブキャリアグループに分割し、各サブキャリアグループに配置される送信信号は、それぞれ異なるフレームフォーマットに基づいて生成される。なお、図９の例によれば、第２のフレームフォーマットは、ＲＦ切替期間４００５と、上りリンク信号リソース４００６を備えている。そのため、基地局装置１Ａは、第１のフレームフォーマットに基づいた信号と、第２のフレームフォーマットに基づいた信号を、それぞれ異なるＯＦＤＭ信号で生成し、該異なるＯＦＤＭ信号を周波数多重して同時に送信することができる。
【０１６７】
なお、図９の例によれば、第１のフレームフォーマットに基づいて生成されるサブキャリアグループと、第２のフレームフォーマットに基づいて生成されるサブキャリアグループと、は隣接しているが、フレーム構成部１０３３は、各サブキャリアグループ間にガードバンド（ヌルサブキャリア、無送信周波数）を配置することもできる。また、図９の例によれば、第１のフレームフォーマットに基づいて生成されるサブキャリアグループと、第２のフレームフォーマットに基づいて生成されるサブキャリアグループと、のそれぞれで送信される信号のフレーム長は同じものとしているが、それぞれの信号のフレーム長は異なっていても良い。ただし、無線ネットワーク内の同期の観点から、各サブキャリアグループで送信される信号のフレーム長の関係は、整数倍の関係となっていることが好適で
ある。
【０１６８】
また、基地局装置１Ａの送信部１０３は、サブキャリア毎、もしくは複数のサブキャリアで構成されたサブキャリアグループ毎にフィルタを適用するフィルタードＯＦＤＭ信号を生成することができる。フィルタードＯＦＤＭは、例えば、Ｆｉｌｔｅｒ  ｂａｎｋ  ｍｕｌｔｉｃａｒｒｉｅｒであったり、Ｆｉｌｔｅｒｅｄ  ＯＦＤＭであったりすることができる。フィルタ―ドＯＦＤＭでは、サブキャリア間（もしくはサブキャリアグループ間）の干渉が大幅に抑圧される。基地局装置１Ａは、自装置が生成する複数のサブキャリアグループに、それぞれ異なるフレームフォーマットを割り当てることができる。例えば、基地局装置１Ａの送信部１０３は、第１のフレームフォーマットに基づいて第１のサブキャリアグループを生成し、第２のフレームフォーマットに基づいて第２のサブキャリアグループを生成し、第１のサブキャリアグループと、第２のサブキャリアグループを含むＦｉｌｔｅｒｅｄ  ＯＦＤＭ信号を生成することができる。
【０１６９】
基地局装置１Ａは、複信方式毎にフレームフォーマットを定義することができる。例えば、基地局装置１Ａは、ＦＤＤの場合と、ＴＤＤの場合とで、それぞれ異なるフレームフォーマットを定義することができる。基地局装置１Ａは、ＦＤＤの場合は、第１のフレームフォーマットに基づいて、送信信号を生成する一方で、ＴＤＤの場合は、第２のフレームフォーマットに基づいて、送信信号を生成することができる。
【０１７０】
また、基地局装置１Ａは、１つの複信方式の中で、複数のフレームフォーマットを選択的に用いることができる。例えば、基地局装置１Ａは、ＦＤＤを複信方式と用いる場合において、第１のフレームフォーマットと第２のフレームフォーマットと、を選択的に、もしくは同時に用いることができる。また、基地局装置１Ａは、１つの複信方式の中で、第１のフレームフォーマット（もしくは第２のフレームフォーマット）に対し、複数の無線パラメータを選択的に、もしくは同時に用いることができる。
【０１７１】
また、基地局装置１Ａは、ＦＤＤとＴＤＤが混在する複信方式を用いることが可能であり、基地局装置１Ａは、ＦＤＤとＴＤＤが混在する複信方式に対して、フレームフォーマットを定義することができる。また、基地局装置１Ａは、ＦＤＤとＴＤＤが混在する複信方式において、複数のフレームフォーマット、もしくは無線パラメータを選択的に、もしくは同時に用いることができる。ＦＤＤとＴＤＤが混在する複信方式として、基地局装置１Ａは、周波数バンドでＦＤＤとＴＤＤを時間的に切り替える複信方式を用いることができる。ＦＤＤとＴＤＤが混在する複信方式として、基地局装置１Ａは、上りリンク送信と下りリンク送信を同時に行なうＦｕｌｌ  ｄｕｐｌｅｘ（またはSimultaneous transmission and reception (STR)）を用いることができる。ＳＴＲにおいて基地局装置１Ａおよ
び端末装置２Ａは、それぞれ異なるフレームフォーマットに基づいて生成された送信信号を同時に送信することができる。
【０１７２】
基地局装置１Ａは、第１のフレームフォーマットと第２のフレームフォーマットに設定する無線パラメータについて、各フレームフォーマットに基づいて生成する送信信号を送信する周波数バンドが、無線事業者がサービスを提供する国や地域から使用許可（免許）が得られた、いわゆるライセンスバンド（licensed band）と呼ばれる周波数バンドであ
る場合と、国や地域からの使用許可を必要としない、いわゆるアンライセンスバンド（unlicensed band）と呼ばれる周波数バンドである場合とで、異なる無線パラメータを設定
することができる。
【０１７３】
基地局装置１Ａは、第１のフレームフォーマットと第２のフレームフォーマットに設定する無線パラメータについて、各フレームフォーマットに基づいて生成する送信信号を送信する周波数バンドがアンライセンスバンドであった場合、該アンライセンスバンドの周
波数帯に応じて、設定する無線パラメータを変更できる。例えば、基地局装置１Ａは、送信信号を送信するアンライセンスバンドが５ＧＨｚ帯である場合と、６０ＧＨｚ帯である場合とで、無線パラメータを変更することができる。
【０１７４】
基地局装置１Ａは、５ＧＨｚ帯のアンライセンスバンドで用いられているフレームフォーマットの占有周波数帯域幅を整数倍に拡張することで得られるフレームフォーマットを６０ＧＨｚ帯のアンライセンスバンドに用いることができる。また、基地局装置１Ａは、６ＧＨｚ以上のライセンスバンドに用いられているフレームフォーマットで生成される送信信号を周波数方向に複数個束ねて、６０ＧＨｚ帯のアンライセンスバンドに用いることができる。基地局装置１Ａは、自装置のみ、および他の基地局装置と連携して、６ＧＨｚ以上のライセンスバンドに用いられているフレームフォーマットに基づいて生成したコンポーネントキャリアをＣＡ（Carrier Aggregation;キャリアアグリゲーション）およびＤＣ（Dual Connectivity;デュアルコネクティビティ）によって、複数個同時に、端末装置２Ａに対して、６０ＧＨｚ帯のアンライセンスバンドに配置して送信することができる。
【０１７５】
基地局装置１Ａは、６０ＧＨｚ帯のアンライセンスバンドにおいて、ＩＥＥＥ８０２．１１ａｄで定義されているチャネルの帯域幅（例えば、２ＧＨｚや２．１６ＧＨｚ）と同じ帯域幅、もしくは該帯域幅の整数倍の帯域幅のフレームフォーマットを用いることができる。また、基地局装置１Ａは、周波数帯域幅の整数倍（等倍を含む）が、ＩＥＥＥ８０２．１１ａｄで定義されているチャネルの帯域幅に一致するフレームフォーマットを、６０ＧＨｚ帯のアンライセンスバンドや、６ＧＨｚ以上のライセンスバンドに用いることができる。
【０１７６】
基地局装置１Ａは、第１のフレームフォーマットと第２のフレームフォーマットに設定する無線パラメータについて、各フレームフォーマットに基づいて生成する送信信号を送信する周波数バンドが、１つの無線事業者が占有して使用することができる占有周波数バンドである場合と、複数の無線事業者が共有して使用する共有周波数バンド（Shared band）である場合とで、異なる無線パラメータを設定することができる。
【０１７７】
基地局装置１Ａは、異なるフレームフォーマットに基づいて生成される送信信号を、周波数方向に複数配置することができる。基地局装置１Ａは、異なるフレームフォーマットに基づいて生成される送信信号を、周波数方向に複数配置する場合、複数のコンポーネントキャリア（ＣＣ）をアグリゲーションして送信するキャリアアグリゲーション（ＣＡ）で該複数の送信信号を同時に送信することができる。なお、該キャリアアグリゲーションで送信される複数のＣＣは、異なる複数の基地局装置より送信されることができる。またキャリアアグリゲーションでは、１つのプライマリセル（ＰＣｅｌｌ；Primary Cell）及び１または複数のセカンダリセル（ＳＣｅｌｌ；Secondary Cell）がサービングセルの集合として設定される。
【０１７８】
基地局装置１Ａは、ＣＡで送信される複数のＣＣに対して、それぞれ異なるフレームフォーマット／無線パラメータを用いることができる。例えば、基地局装置１Ａは、２ＣＣのＣＡ送信を行なう場合、第１のＣＣには、第１のフレームフォーマットを適用し、第２のＣＣには、第２のフレームフォーマットを適用することができる。また、基地局装置１Ａは、各ＣＣで送信する送信信号を、異なる無線パラメータが設定された第２のフレームフォーマットに基づいて生成することができる。つまり、基地局装置１Ａはセル毎にフレームフォーマット／無線パラメータを設定することができる。例えば、基地局装置１Ａは、ＰＣｅｌｌ／ＳＣｅｌｌでは第１のフレームフォーマットで通信し、ＳＣｅｌｌでは第２のフレームフォーマットで通信することができる。また基地局装置１Ａは、ＰＣｅｌｌとＳＣｅｌｌで第２のフレームフォーマットで通信するが、設定される無線パラメータはセル毎に異なるようにすることができる。
【０１７９】
基地局装置１Ａは、プライマリセルとなるＣＣに含まれる制御情報リソース４０００に配置される制御情報に、セカンダリセルとなるＣＣに設定されるフレームフォーマットを示す情報を含めることができる。
【０１８０】
基地局装置１Ａは、異なるフレームフォーマットに基づいて生成される送信信号を、周波数方向に複数配置する場合、他の基地局装置と連携して、複数の送信ポイントから、同時に信号を送信するＤｕａｌ  ｃｏｎｎｅｃｔｉｖｉｔｙ（ＤＣ）で送信することができる。ＤＣでは、サービングセルのグループとして、マスターセルグループ（MCG; Master Cell Group）とセカンダリセルグループ（SCG; Secondary Cell Group）が設定される。
ＭＣＧはＰＣｅｌｌとオプションで１又は複数のＳＣｅｌｌから構成される。またＳＣＧはプライマリＳＣｅｌｌ（ＰＳＣｅｌｌ）とオプションで１又は複数のＳＣｅｌｌから構成される。例えば、基地局装置１Ａと基地局装置１ＢがＤＣにより、端末装置２Ａに下りリンク信号を送信する場合、基地局装置１Ａと基地局装置１Ｂは、それぞれ異なるフレームフォーマット／無線パラメータに基づいて、送信信号を生成し、送信することができる。また、基地局装置１Ａと基地局装置１ＢがＤＣにより、端末装置２Ａに下りリンク信号を送信する場合、基地局装置１Ａと基地局装置１Ｂは、それぞれ異なる無線パラメータが設定された第２のフレームフォーマットに基づいて、送信信号を生成し、送信することができる。言い換えると、基地局装置１Ａはセル毎にフレームフォーマット／無線パラメータを設定することができる。例えば、ＰＣｅｌｌとＰＳＣｅｌｌで異なるフレームフォーマットが設定されるし、ＰＣｅｌｌ／ＰＳＣｅｌｌとＳＣｅｌｌで異なるフレームフォーマットが設定される。また基地局装置１Ａ／１Ｂは、ＰＣｅｌｌとＰＳＣｅｌｌで異なる無線パラメータが設定された第２のフレームフォーマットを設定することができる。
【０１８１】
基地局装置１Ａは、周波数方向に複数配置された下りリンク信号について、それぞれに設定されているフレームフォーマット／無線パラメータに関する情報を、端末装置２Ａに通知することができる。ＣＡ又はＤＣの場合、基地局装置１Ａは、セル毎に設定されているフレームフォーマット／無線パラメータに関する情報を、端末装置２Ａに送信することができる。
【０１８２】
基地局装置１Ａは、異なるフレームフォーマット／無線パラメータに基づいて生成される送信信号を、空間方向に複数配置することができる。例えば、基地局装置１Ａは、マルチユーザ多重入力多重出力伝送（ＭＵ−ＭＩＭＯ）により、端末装置２Ａと端末装置２Ｂに対して、同時に下りリンク信号を送信する場合、端末装置２Ａ宛ての送信信号と、端末装置２Ｂ宛ての送信信号について、それぞれ異なるフレームフォーマットに基づいて生成し、該２つの送信信号を空間多重して送信することができる。すなわち、本実施形態に係る基地局装置１Ａが送信する送信信号は、空間方向には異なるフレームフォーマットに基づいて生成された送信信号が空間多重されていることができる。
【０１８３】
基地局装置１Ａが、異なるフレームフォーマットに基づいて生成した送信信号を空間方向に多重する場合、基地局装置１Ａは、各フレームフォーマットに関し、固有ＲＳリソース４００３が配置されるリソースの少なくとも一部を共通とすることができる。
【０１８４】
また、端末装置２Ａがユーザ間干渉又は隣接セル干渉を除去又は抑圧する機能を備えている場合、基地局装置１Ａはユーザ間干渉又は隣接セル干渉を除去又は抑圧するためのアシスト情報を送信することができる。アシスト情報（隣接セル情報）は、物理セルＩＤ、ＣＲＳポート数、ＰＡリスト、ＰＢ、ＭＢＳＦＮ（Multimedia Broadcast multicast service Single Frequency Network）サブフレーム設定、送信モードリスト、リソース割当
て粒度、ＴＤＤのＵＬ／ＤＬサブフレーム構成、ＺＰ／ＮＺＰ  ＣＳＩ−ＲＳ構成、ＱＣＬ（quasi co-location）情報、フレームフォーマット、無線パラメータの一部又は全部
を含む。なお、ＰＡは、ＣＲＳが配置されていないＯＦＤＭシンボルにおけるＰＤＳＣＨとＣＲＳの電力比（電力オフセット）である。ＰＢは、ＣＲＳが配置されているＯＦＤＭシンボルにおけるＰＤＳＣＨとＣＲＳが配置されていないＯＦＤＭシンボルにおけるＰＤＳＣＨの電力比（電力オフセット）を表す。ＱＣＬ情報は、所定のアンテナポート、所定の信号、または所定のチャネルに対するＱＣＬに関する情報である。２つのアンテナポートにおいて、一方のアンテナポート上のシンボルが搬送されるチャネルの長区間特性が、もう一方のアンテナポート上のシンボルが搬送されるチャネルから推測できる場合、それらのアンテナポートはＱＣＬであると呼称される。長区間特性は、遅延スプレッド、ドップラースプレッド、ドップラーシフト、平均利得および／または平均遅延を含む。すなわち、２つのアンテナポートがＱＣＬである場合、端末装置はそれらのアンテナポートにおける長区間特性が同じであると見なすことができる。なお、上記アシスト情報に含まれるパラメータの各々は、１つの値（候補）が設定されても良いし、複数の値（候補）が設定されてもよい。複数の値が設定される場合は、端末装置は、そのパラメータについては、干渉となる基地局装置が設定する可能性のある値が示されていると解釈し、複数の値から干渉信号に設定されているパラメータを検出（特定）する。また、上記アシスト情報は、他の基地局装置／ビームの情報を示す場合もあるし、自らの基地局装置／ビームの情報を示す場合もある。また上記アシスト情報は、様々な測定を行うときに用いられても良い。測定は、ＲＲＭ（Radio Resource Management）測定、ＲＬＭ（Radio Link Monitoring）測定、ＣＳＩ（Channel State Information）測定を含む。
【０１８５】
［２．全実施形態共通］
なお、本発明に係る基地局装置及び端末装置は、ライセンスバンドに限定されずアンライセンスバンドで運用される無線アクセス技術（Radio access technology：ＲＡＴ）に
用いられることが可能である。また、アンライセンスバンドで運用されるＲＡＴは、ライセンスバンドの補助を受けることができるライセンス補助アクセスであることができる。
【０１８６】
また、本発明に係る基地局装置及び端末装置は、複数の送信ポイント（もしくは複数の受信ポイント）から信号が送信（もしくは受信）されるＤｕａｌ  ｃｏｎｎｅｃｔｉｖｉｔｙ（ＤＣ）で用いられることが可能である。基地局装置及び端末装置は、ＤＣで接続される複数の送信ポイント（もしくは受信ポイント）のいずれかの少なくとも１つとの通信に用いられることが出来る。また、本発明に係る基地局装置及び端末装置は、複数のコンポーネントキャリア（ＣＣ）が用いられるキャリアアグリゲーション（ＣＡ）で用いられることが可能である。基地局装置及び端末装置は、ＣＡされる複数のＣＣのうち、プライマリセルに対してのみ用いられることが出来るし、セカンダリセルに対してのみ用いられることが出来るし、プライマリセルとセカンダリセルの両方に用いられることもできる。
【０１８７】
なお、本発明に係る基地局装置及び端末装置で動作するプログラムは、本発明に関わる上記実施形態の機能を実現するように、ＣＰＵ等を制御するプログラム（コンピュータを機能させるプログラム）である。そして、これら装置で取り扱われる情報は、その処理時に一時的にＲＡＭに蓄積され、その後、各種ＲＯＭやＨＤＤに格納され、必要に応じてＣＰＵによって読み出し、修正・書き込みが行なわれる。プログラムを格納する記録媒体としては、半導体媒体（例えば、ＲＯＭ、不揮発性メモリカード等）、光記録媒体（例えば、ＤＶＤ、ＭＯ、ＭＤ、ＣＤ、ＢＤ等）、磁気記録媒体（例えば、磁気テープ、フレキシブルディスク等）等のいずれであってもよい。また、ロードしたプログラムを実行することにより、上述した実施形態の機能が実現されるだけでなく、そのプログラムの指示に基づき、オペレーティングシステムあるいは他のアプリケーションプログラム等と共同して処理することにより、本発明の機能が実現される場合もある。
【０１８８】
また市場に流通させる場合には、可搬型の記録媒体にプログラムを格納して流通させたり、インターネット等のネットワークを介して接続されたサーバコンピュータに転送した
りすることができる。この場合、サーバコンピュータの記憶装置も本発明に含まれる。また、上述した実施形態における端末装置および基地局装置の一部、または全部を典型的には集積回路であるＬＳＩとして実現してもよい。受信装置の各機能ブロックは個別にチップ化してもよいし、一部、または全部を集積してチップ化してもよい。各機能ブロックを集積回路化した場合に、それらを制御する集積回路制御部が付加される。
【０１８９】
また、集積回路化の手法はＬＳＩに限らず専用回路、または汎用プロセッサで実現しても良い。また、半導体技術の進歩によりＬＳＩに代替する集積回路化の技術が出現した場合、当該技術による集積回路を用いることも可能である。
【０１９０】
なお、本願発明は上述の実施形態に限定されるものではない。本願発明の端末装置は、移動局装置への適用に限定されるものではなく、屋内外に設置される据え置き型、または非可動型の電子機器、たとえば、ＡＶ機器、キッチン機器、掃除・洗濯機器、空調機器、オフィス機器、自動販売機、その他生活機器などに適用出来ることは言うまでもない。
【０１９１】
以上、この発明の実施形態を、図面を参照して詳述してきたが、具体的な構成はこの実施形態に限られるものではなく、この発明の要旨を逸脱しない範囲の設計等も特許請求の範囲に含まれる。
【産業上の利用可能性】
【０１９２】
本発明は、基地局装置、端末装置および通信方法に用いて好適である。
【符号の説明】
【０１９３】
１Ａ、１Ｂ  基地局装置
２、２Ａ、２Ｂ  端末装置
１０１    上位層処理部
１０１１  無線リソース制御部
１０１２  スケジューリング部
１０２    制御部
１０３    送信部
１０３１  符号化部
１０３２  変調部
１０３３、２０３３  フレーム構成部
１０３４  多重部
１０３５  無線送信部
１０４    受信部
１０４１  無線受信部
１０４２  多重分離部
１０４３  復調部
１０４４  復号部
１０５    アンテナ
２０１    上位層処理部
２０２    制御部
２０３    送信部
２０４    受信部
２０５    チャネル状態情報生成部
２０６    アンテナ
２０１１  無線リソース制御部
２０１２  スケジューリング情報解釈部
２０３１  符号化部
２０３２  変調部
２０３４  多重部
２０３５  無線送信部
２０４１  無線受信部
２０４２  多重分離部
２０４３  信号検出部
４０００〜４００７  リソース
５０００  サブフレーム
【図１】
2019054308.tif 000003
【図２】
2019054308.tif 000004
【図３】
2019054308.tif 000005
【図４】
2019054308.tif 000006
【図５】
2019054308.tif 000007
【図６】
2019054308.tif 000008
【図７】
2019054308.tif 000009
【図８】
2019054308.tif 000010
【図９】
2019054308.tif 000011